(57)【要約】【課題】パーティにおいて撮影した写真の受け渡しを容易に行うことができ、パーティにおける新たな催しを提供することができる装置と方法を提供する。【解決手段】写真画像印刷装置Ａは、装置本体部１０と、カメラドック３５と、収納部４０と、移動機構部５０とを有していて、装置本体部１０は、入力機能付き表示部１２と、メモリーカードドライブ２０と、ディスクドライブ２２と、プリンタと、ＣＰＵと、記憶部とを有している。パーティ等においてデジタルカメラで撮影した写真画像は、メモリーカードをメモリーカードドライブ２０に挿入することによりデータの読取りが行われ、表示された写真の中から印刷する写真を選択して印刷を行う。また、印刷した写真画像のデータは、記憶部に記憶され、ディスクドライブ２２に挿入されたディスクに書き込むことができる。その際、写真画像のデータを閲覧するプログラムとともに書込みを行う。【選択図】　　　　図１
2004130771.tif 000002
【特許請求の範囲】
【請求項１】
デジタルカメラで撮影して得た写真画像を印刷する写真画像印刷装置であって、
デジタルカメラ用の記録媒体に記録された写真画像のデータを読み出す読出し装置と、
画像データを表示する表示装置と、
操作者により入力を行うための入力装置と、
該読出し装置により読み出された写真画像のデータを印刷する印刷装置と、
所定のデータを記憶する記憶装置と、
記録媒体に所定のデータを書き込む書込み装置と、
該読出し装置により読み出された写真画像のデータを該表示装置に表示させるとともに、該表示装置に表示された写真画像の中から印刷対象の写真画像が該入力装置により選択された場合に、該選択された写真画像のデータを印刷するように印刷装置を制御し、さらに、印刷を行った写真画像のデータである印刷写真画像データを該記憶装置に記憶しておくとともに、該入力装置から所定の書込み指示操作があった場合に、該記憶装置に記憶されている該印刷写真画像データを記録媒体に書き込むように該書込み装置を制御する制御装置と、
を有することを特徴とする写真画像印刷装置。
【請求項２】
上記制御装置は、上記写真画像印刷装置の起動後最初に上記印刷写真画像データを上記記憶装置に記憶する場合には、該記憶装置に所定の記憶領域を作成して該記憶領域に該印刷写真画像データを記憶し、その後、印刷写真画像データを上記記憶装置に記憶する場合には、該作成された記憶領域に記憶していき、上記記憶媒体に書き込む際には、該記憶領域に記憶されたデータを書き込むとともに、印刷写真画像データを該記憶領域に記憶する際には、該印刷写真画像データに写真画像のファイル名と撮影時刻の情報を付加して記憶し、また、写真画像データの印刷が行われた場合に、その写真画像のファイル名と同一のファイル名であり、かつ、該写真画像の撮影時刻と同一の撮影時刻である情報が付加されている写真画像がすでに該記憶領域に記憶されている場合には、印刷を行った該写真画像の記憶を中止することを特徴とする請求項１に記載の写真画像印刷装置。
【請求項３】
上記制御装置は、上記記憶領域に印刷写真画像データを記憶する際には、撮影時刻の情報に従い、撮影時刻順に各印刷写真画像データを並べた状態となるように記憶を行うことを特徴とする請求項２に記載の写真画像印刷装置。
【請求項４】
上記記憶装置には、撮影者の異なる印刷写真画像データであっても同一の記憶領域に記憶され、該撮影者の異なる印刷写真画像データが、上記書込み装置により記録媒体に書き込まれることを特徴とする請求項１又は２又は３に記載の写真画像印刷装置。
【請求項５】
上記記憶装置には、上記記録媒体に書き込まれた上記印刷写真画像データを閲覧するための閲覧用プログラムのデータが記憶されていて、
上記制御装置は、上記印刷写真画像データを記録媒体に書き込む際に、該閲覧用プログラムのデータとともに該印刷写真画像データを該記録媒体に書き込むように上記書込み装置を制御することを特徴とする請求項１又は２又は３又は４に記載の写真画像印刷装置。
【請求項６】
上記閲覧用プログラムが、
上記印刷写真画像データを一覧表示するとともに、一覧表示された印刷写真画像データの中から操作者により指定された写真画像のデータを拡大表示する処理と、
上記印刷写真画像データにおける写真画像のデータを操作者に選択させるとともに、複数のポストカード作成用のフレームを表示して操作者に所定のフレームを選択させることによりポストカードの設計を行うとともに、所定のＷｅｂサイトにインターネットを介して接続することにより、設計したポストカードの注文を可能とする処理と、
を行なうことを特徴とする請求項５に記載の写真画像印刷装置。
【請求項７】
デジタルカメラで撮影して得た写真画像を印刷する写真画像印刷装置であって、
デジタルカメラ用の記録媒体に記録された写真画像のデータを読み出す読出し装置と、
画像データを表示する表示装置と、
操作者により入力を行うための入力装置と、
該読出し装置により読み出された写真画像のデータを印刷する印刷装置と、
記録媒体に所定のデータを書き込む書込み装置と、
該読出し装置により読み出された写真画像のデータを該表示装置に表示させるとともに、該表示装置に表示された写真画像の中から印刷対象の写真画像が該入力装置により選択された場合に、該選択された写真画像のデータを印刷するように印刷装置を制御し、さらに、印刷を行った写真画像のデータである印刷写真画像データを記録媒体に書き込むように該書込み装置を制御する制御装置と、
を有することを特徴とする写真画像印刷装置。
【請求項８】
上記写真画像印刷装置が、さらに、デジタルカメラを載置するとともにデジタルカメラに記録された写真画像のデータを読み出すためのトレー状の読出し装置であるドックを有し、
上記制御装置は、該ドックにより読み出された写真画像のデータを該表示装置に表示させるとともに、該表示装置に表示された写真画像の中から印刷対象の写真画像が該入力装置により選択された場合に、該選択された写真画像のデータを印刷するように印刷装置を制御することを特徴とする請求項１又は２又は３又は４又は５又は６又は７に記載の写真画像印刷装置。
【請求項９】
上記制御装置は、上記表示装置に、選択可能な記録媒体を表示する記録媒体選択用画面であって、メモリカードの種類を記録媒体の外観を示す表示部によりそれぞれ表示し、各表示部が操作用ボタンとなっている記録媒体選択用画面を表示し、操作者が、いずれかの表示部を選択することにより記録媒体の種類を選択することができることを特徴とする請求項１又は２又は３又は４又は５又は６又は７又は８に記載の写真画像印刷装置。
【請求項１０】
デジタルカメラで撮影して得た写真画像を印刷する写真画像印刷装置であって、
デジタルカメラ用の記録媒体に記録された写真画像のデータを読み出す読出し手段と、
該読出し手段により読み出された写真画像のデータを表示する表示手段と、
該表示手段に表示された写真画像の中から印刷する写真画像を選択する入力手段と、
該表示手段により写真画像のデータが表示された状態で、該入力手段により写真画像の選択が行われた場合に、選択された写真画像のデータを印刷する印刷手段と、
該印刷手段により印刷された写真画像についてのデータである印刷写真画像データを記憶する記憶手段と、
該記憶手段に記憶されている印刷写真画像データを記録媒体に書き込む書込み手段と、
を有することを特徴とする写真画像印刷装置。
【請求項１１】
上記写真画像印刷装置が、写真画像印刷装置を移動させるための移動機構部を有することを特徴とする請求項１又は２又は３又は４又は５又は６又は７又は８又は９又は１０に記載の写真画像印刷装置。
【請求項１２】
デジタルカメラで撮影して得た写真画像を印刷する写真画像印刷装置であって、
デジタルカメラ用の記録媒体に記録された写真画像のデータを読み出す読出し装置と、
画像データを表示する表示装置と、
操作者により入力を行うための入力装置と、
該読出し装置により読み出された写真画像のデータを印刷する印刷装置と、
該読出し装置により読み出された写真画像のデータを該表示装置に表示させるとともに、該表示装置に表示された写真画像の中から印刷対象の写真画像が該入力装置により選択された場合に、該選択された写真画像のデータを印刷するように印刷装置を制御する制御装置と、
写真画像印刷装置を移動させるための移動機構部と、
を有することを特徴とする写真画像印刷装置。
【請求項１３】
上記写真画像印刷装置が、さらに、デジタルカメラを載置するとともにデジタルカメラに記録された写真画像のデータを読み出すためのトレー状の読出し装置であるドックを有し、
上記制御装置は、該ドックにより読み出された写真画像のデータを該表示装置に表示させるとともに、該表示装置に表示された写真画像の中から印刷対象の写真画像が該入力装置により選択された場合に、該選択された写真画像のデータを印刷するように印刷装置を制御することを特徴とする請求項１２に記載の写真画像印刷装置。
【請求項１４】
上記制御装置は、上記表示装置に、選択可能な記録媒体を表示する記録媒体選択用画面であって、メモリカードの種類を記録媒体の外観を示す表示部によりそれぞれ表示し、各表示部が操作用ボタンとなっている記録媒体選択用画面を表示し、操作者が、いずれかの表示部を選択することにより記録媒体の種類を選択することができることを特徴とする請求項１２又は１３に記載の写真画像印刷装置。
【請求項１５】
デジタルカメラで撮影して得た写真画像を印刷する写真画像印刷装置であって、
デジタルカメラ用の記録媒体に記録された写真画像のデータを読み出す読出し手段と、
該読出し手段により読み出された写真画像のデータを表示する表示手段と、
該表示手段に表示された写真画像の中から印刷する写真画像を選択する入力手段と、
該表示手段により写真画像のデータが表示された状態で、該入力手段により写真画像の選択が行われた場合に、選択された写真画像のデータを印刷する印刷手段と、
写真画像印刷装置を移動させるための移動機構部と、
を有することを特徴とする写真画像印刷装置。
【請求項１６】
上記移動機構部が、車輪と、上記写真画像印刷装置を移動させるための把手であることを特徴とする請求項１１又は１２又は１３又は１４又は１５に記載の写真画像印刷装置。
【請求項１７】
上記表示装置が液晶ディスプレイであって、上記入力装置が該表示装置の表示面に設けられたデジタイザであり、上記印刷装置は、該表示装置の背面側に設けられていて、該印刷装置における印刷用紙の搬送方向は、該表示装置の表示面の向きを正面とした場合に左右方向であり、印刷した写真画像の排出口は印刷装置の側方にあることを特徴とする請求項１又は２又は３又は４又は５又は６又は７又は８又は９又は１１又は１２又は１３又は１４に記載の写真画像印刷装置。
【請求項１８】
デジタルカメラで撮影して得た写真画像を印刷する写真画像印刷装置であって、
デジタルカメラ用の記録媒体に記録された写真画像のデータを読み出す読出し装置と、
画像データを表示する表示装置で、液晶ディスプレイにより構成される表示装置と、
操作者により入力を行うための入力装置で、該表示装置の表示面に設けられたデジタイザにより構成される入力装置と、
該読出し装置により読み出された写真画像のデータを印刷する印刷装置で、該表示装置の背面側に設けられていて、該印刷装置における印刷用紙の搬送方向が、該表示装置の表示面の向きを正面とした場合に左右方向であり、印刷した写真画像の排出口は印刷装置の側方にある印刷装置と、
該読出し装置により読み出された写真画像のデータを該表示装置に表示させるとともに、該表示装置に表示された写真画像の中から印刷対象の写真画像が該入力装置により選択された場合に、該選択された写真画像のデータを印刷するように印刷装置を制御する制御装置と、
を有することを特徴とする写真画像印刷装置。
【請求項１９】
選択された写真画像のデータを印刷する際には、操作者により指定された枚数分印刷することを特徴とする請求項１又は２又は３又は４又は５又は６又は７又は８又は９又は１０又は１１又は１２又は１３又は１４又は１５又は１６又は１７又は１８に記載の写真画像印刷装置。
【請求項２０】
上記入力装置又は入力手段による設定に基づいて、印刷装置又は印刷手段が写真画像を印刷する際に、文字及び／又は記号からなる表示情報であって、表示情報を構成する各文字及び／又は記号における構成部分が白色以外の有色領域と該有色領域の周囲に存在する白色領域とからなる表示情報を写真画像に重ねて印刷することを特徴とする請求項１又は２又は３又は４又は５又は６又は７又は８又は９又は１０又は１１又は１２又は１３又は１４又は１５又は１６又は１７又は１８又は１９に記載の写真画像印刷装置。
【請求項２１】
上記制御装置は、
操作者が上記入力装置により焼き増し印刷を行うための所定の操作を行った場合には、上記記憶装置に記憶された印刷写真画像データを上記表示装置に表示させ、
該表示装置に表示された写真画像の中から印刷対象の写真画像が該入力装置により選択された場合には、該選択された写真画像のデータを印刷するように印刷装置を制御するとともに、
該焼き増し印刷を行なうための所定の操作を行って写真画像のデータを印刷した場合には、写真画像については印刷写真画像データの上記記憶装置への記憶を中止することを特徴とする請求項１又は２又は３又は４又は５又は６又は７又は８又は９に記載の写真画像印刷装置。
【請求項２２】
上記記憶装置には、上記印刷写真画像データを記憶するための画像データ記憶領域と、バックアップを行うためのバックアップ用データ記憶領域とが設けられていて、
上記制御装置は、
写真画像印刷装置の起動後において所定の操作が上記入力装置によりあった場合には、該画像データ記憶領域内のデータをクリアするともに、バックアップ用データ記憶領域内に新たな記憶領域である個別記憶領域を作成し、
写真画像を印刷することにより、印刷写真画像データを上記記憶装置に記憶する場合には、該印刷写真画像データを該画像データ記憶領域に記憶するとともに、該印刷写真画像データを該バックアップ用データ記憶領域における該個別記憶領域に記憶することを特徴とする請求項１又は２又は３又は４又は５又は６又は７又は８又は９又は２１に記載の写真画像印刷装置。
【請求項２３】
上記記憶装置には、上記印刷写真画像データを記憶する画像データ記憶領域と、該印刷写真画像データのファイル名であって、記録媒体に記録された写真画像に付与されていたファイル名である元ファイル名を記憶するための元ファイル名記憶領域とが設けられていて、
上記制御装置は、
該画像データ記憶領域に記憶させるか否かの判定の対象となる印刷写真画像データである対象印刷写真画像データの元ファイル名と同一の元ファイル名が該元ファイル名記憶領域に記憶されているか否かを判定する第１判定工程と、
該第１判定工程において、同一の元ファイル名が該元ファイル名記憶領域に記憶されている場合には、画像データ記憶領域に記憶されている印刷写真画像データであってその元ファイル名に対応する印刷写真画像データと、該対象印刷写真画像データとにおいて、撮影日時のデータと写真画像のデータサイズのデータとが同じであるか否かを判定する第２判定工程と、
該第１判定工程において、同一の元ファイル名が該元ファイル名記憶領域に記憶されていない場合及び該第２判定工程において、元ファイル名に対応する印刷写真画像データと対象印刷写真画像データとで、撮影日時のデータと写真画像のデータサイズのデータとがともに同じでない場合には、該印刷写真画像データを、そのファイル名を変更するとともに、該印刷写真画像データに付与されていた撮影日時のデータと写真画像のデータサイズのデータを付与して該画像データ記憶領域に記憶するとともに、元ファイル名を該画像データ記憶領域に記憶した印刷写真画像データと関連づけて元ファイル名記憶領域に記憶する記憶工程と、
を実行し、
該第２判定工程において、元ファイル名に対応する印刷写真画像データと対象印刷写真画像データとで、撮影日時のデータと写真画像のデータサイズのデータとがともに同じである場合には、すでに同一の印刷写真画像データが画像データ記憶領域に記憶されているものとして対象印刷写真画像データを画像データ記憶領域に記憶しないことを特徴とする請求項１又は２又は３又は４又は５又は６又は７又は８又は９又は２１又は２２に記載の写真画像印刷装置。
【請求項２４】
上記制御装置は、上記記録媒体に書き込まれた印刷写真画像データを閲覧するための閲覧用プログラムが予め記憶された記録媒体に印刷写真画像データを書き込むように、上記書込み装置を制御することを特徴とする請求項１又は２又は３又は４又は５又は６又は７又は８又は９又は２１又は２２又は２３に記載の写真画像印刷装置。
【請求項２５】
上記印刷写真画像データには、撮影日時のデータが付加されていて、上記制御装置は、上記記録媒体にデータを書き込む場合に、撮影日時に従った順番で該記録媒体にデータを書き込むことを特徴とする請求項２４に記載の写真画像印刷装置。
【請求項２６】
デジタルカメラで撮影して得た写真画像を印刷する写真画像印刷装置であって、
デジタルカメラ用の記録媒体に記録された写真画像のデータを読み出す読出し装置と、
画像データを表示する表示装置と、
操作者により入力を行うための入力装置と、
該読出し装置により読み出された写真画像のデータを印刷する印刷装置と、
データを記憶する記憶装置であって、写真画像のデータを記憶する画像データ記憶領域と、記録媒体に記録された写真画像に付与されていたファイル名である元ファイル名を記憶するための元ファイル名記憶領域とが設けられた記憶装置と、
該読出し装置により読み出された写真画像のデータを該表示装置に表示させるとともに、該表示装置に表示された写真画像の中から印刷対象の写真画像が該入力装置により選択された場合に、該選択された写真画像のデータを印刷するように印刷装置を制御し、さらに、印刷を行った写真画像のデータである印刷写真画像データを該記憶装置に記憶する制御装置と、
を有し、
該制御装置は、
該画像データ記憶領域に記憶させるか否かの判定の対象となる印刷写真画像データである対象印刷写真画像データの元ファイル名と同一の元ファイル名が該元ファイル名記憶領域に記憶されているか否かを判定する第１判定工程と、
該第１判定工程において、同一の元ファイル名が該元ファイル名記憶領域に記憶されている場合には、画像データ記憶領域に記憶されている印刷写真画像データであってその元ファイル名に対応する印刷写真画像データと、該対象印刷写真画像データとにおいて、撮影日時のデータと写真画像のデータサイズのデータとが同じであるか否かを判定する第２判定工程と、
該第１判定工程において、同一の元ファイル名が該元ファイル名記憶領域に記憶されていない場合及び該第２判定工程において、元ファイル名に対応する印刷写真画像データと対象印刷写真画像データとで、撮影日時のデータと写真画像のデータサイズのデータとがともに同じでない場合には、該印刷写真画像データを、そのファイル名を変更するとともに、該印刷写真画像データに付与されていた撮影日時のデータと写真画像のデータサイズのデータを付与して該画像データ記憶領域に記憶するとともに、元ファイル名を該画像データ記憶領域に記憶した印刷写真画像データと関連づけて元ファイル名記憶領域に記憶する記憶工程と、
を実行し、
該第２判定工程において、元ファイル名に対応する印刷写真画像データと対象印刷写真画像データとで、撮影日時のデータと写真画像のデータサイズのデータとがともに同じである場合には、すでに同一の印刷写真画像データが画像データ記憶領域に記憶されているものとして対象印刷写真画像データを画像データ記憶領域に記憶しないことを特徴とする写真画像印刷装置。
【請求項２７】
デジタルカメラで撮影して得た写真画像を印刷する写真画像印刷装置であって、
デジタルカメラ用の記録媒体に記録された写真画像のデータを読み出す読出し装置と、
通信回線を介して送信された写真画像のデータを受信する受信装置と、
画像データを表示する表示装置と、
操作者により入力を行うための入力装置と、
該読出し装置により読み出された写真画像のデータを印刷する印刷装置と、
任意のデータを記憶する記憶装置であって、上記印刷装置により印刷した写真画像のデータである印刷写真画像データを記憶する画像データ記憶領域を有する記憶装置と、
該受信装置により受信された写真画像や、該読出し装置により読み出された写真画像について、該表示装置への表示及び／又は該印刷装置による印刷を行なうように制御を行い、さらに、該画像データ領域への記憶を行わない場合を除き、印刷を行った写真画像のデータである印刷写真画像データを該画像データ記憶領域に記憶する制御装置と、
を有することを特徴とする写真画像印刷装置。
【請求項２８】
デジタルカメラで撮影して得た写真画像を印刷する写真画像印刷装置であって、
デジタルカメラ用の記録媒体に記録された写真画像のデータを読み出す読出し装置と、
通信回線を介して送信された写真画像のデータを受信する受信装置と、
画像データを表示する表示装置と、
操作者により入力を行うための入力装置と、
該読出し装置により読み出された写真画像のデータを印刷する印刷装置と、
任意のデータを記憶する記憶装置であって、上記印刷装置により印刷した写真画像のデータである印刷写真画像データを記憶する画像データ記憶領域と、該受信装置により受信された写真画像のデータを記憶する受信データ記憶領域とを有する記憶装置と、
該受信装置により写真画像のデータが受信された場合には、該受信データ記憶領域に該写真画像のデータを記憶し、また、該読出し装置により読み出された写真画像のデータを該表示装置に表示させ、また、該受信データ記憶領域に記憶された写真画像のデータを該表示装置に表示させ、また、該表示装置に表示された写真画像の中から印刷対象の写真画像が該入力装置により選択された場合に、該選択された写真画像のデータを印刷するように印刷装置を制御し、さらに、該画像データ領域への記憶を行わない場合を除き、印刷を行った写真画像のデータである印刷写真画像データを該画像データ記憶領域に記憶する制御装置と、
を有することを特徴とする写真画像印刷装置。
【請求項２９】
デジタルカメラで撮影して得た写真画像を印刷する写真画像印刷装置であって、
デジタルカメラ用の記録媒体に記録された写真画像のデータを読み出す読出し装置と、
通信回線を介して送信された写真画像のデータを受信する受信装置と、
画像データを表示する表示装置と、
操作者により入力を行うための入力装置と、
該読出し装置により読み出された写真画像のデータを印刷する印刷装置と、
任意のデータを記憶する記憶装置であって、上記印刷装置により印刷した写真画像のデータである印刷写真画像データを記憶する画像データ記憶領域と、該受信装置により受信された写真画像のデータを記憶する受信データ記憶領域とを有する記憶装置と、
該受信装置により写真画像のデータが受信された場合には、該受信データ記憶領域に該写真画像のデータを記憶し、該記憶された写真画像のデータを印刷するように該印刷装置を制御し、また、該読出し装置により写真画像のデータが読み出された場合には、該写真画像のデータを該表示装置に表示させ、また、該表示装置に表示された写真画像の中から印刷対象の写真画像が該入力装置により選択された場合に、該選択された写真画像のデータを印刷するように印刷装置を制御し、さらに、該画像データ領域への記憶を行わない場合を除き、印刷を行った写真画像のデータである印刷写真画像データを該画像データ記憶領域に記憶する制御装置と、
を有することを特徴とする写真画像印刷装置。
【請求項３０】
デジタルカメラで撮影して得た写真画像を印刷する写真画像印刷装置であって、
デジタルカメラ用の記録媒体に記録された写真画像のデータを読み出す読出し装置と、
通信回線を介して送信された写真画像のデータを受信する受信装置と、
画像データを表示する表示装置と、
操作者により入力を行うための入力装置と、
該読出し装置により読み出された写真画像のデータを印刷する印刷装置と、
任意のデータを記憶する記憶装置であって、上記印刷装置により印刷した写真画像のデータである印刷写真画像データを記憶する画像データ記憶領域と、該受信装置により受信された写真画像のデータを記憶する受信データ記憶領域とを有する記憶装置と、
該受信装置により写真画像のデータが受信された場合には、該受信データ記憶領域に該写真画像のデータを記憶し、切換え可能な第１動作モードと第２動作モードとを有し、該第１動作モードにおいては、該記憶された写真画像のデータを印刷するように該印刷装置を制御し、該第２動作モードにおいては、該記憶された写真画像データを表示装置に表示させ、該表示装置に表示された写真画像の中から印刷対象の写真画像が該入力装置により選択された場合に、該選択された写真画像のデータを印刷するように印刷装置を制御し、一方、該読出し装置により写真画像のデータが読み出された場合には、該写真画像のデータを該表示装置に表示させ、また、該表示装置に表示された写真画像の中から印刷対象の写真画像が該入力装置により選択された場合に、該選択された写真画像のデータを印刷するように印刷装置を制御し、さらに、該画像データ領域への記憶を行わない場合を除き、印刷を行った写真画像のデータである印刷写真画像データを該画像データ記憶領域に記憶する制御装置と、
を有することを特徴とする写真画像印刷装置。
【請求項３１】
上記受信装置は、電子メールを受信する機能を有し、写真画像のデータを電子メールに添付されたデータとして受信することを特徴とする請求項２８又は２９又は３０に記載の写真画像印刷装置。
【請求項３２】
上記受信装置により受信された電子メールにテキストデータが含まれている場合に、上記制御装置は、電子メールに添付された写真画像のデータを該テキストデータとともに上記受信データ記憶領域に記憶し、
該受信データ記憶領域に記憶された写真画像のデータを該表示装置に表示させる場合には、該制御装置は、該写真画像のデータを該テキストデータとともに表示し、該表示装置に表示された写真画像のデータを印刷する場合には、該写真画像のデータを該テキストデータとともに印刷することを特徴とする請求項２８又は２９又は３０又は３１に記載の写真画像印刷装置。
【請求項３３】
印刷を行った写真画像のデータである印刷写真画像データを上記画像データ記憶領域に記憶する場合には、該印刷写真画像データとともに該テキストデータ又は該テキストデータの内容に対応したデータについても記憶することを特徴とする請求項３２に記載の写真画像印刷装置。
【請求項３４】
写真画像印刷装置が、さらに、データ書込み用の記録媒体に所定のデータを書き込む書込み装置を有し、
上記制御装置は、該入力装置から所定の書込み指示操作があった場合に、上記画像データ記憶領域に記憶されているデータを該記録媒体に書き込むように該書込み装置を制御することを特徴とする請求項２７又は２８又は２９又は３０又は３１又は３２又は３３に記載の写真画像印刷装置。
【請求項３５】
上記制御装置は、上記データ書込み用の記録媒体に書き込まれた印刷写真画像データを閲覧するための閲覧用プログラムが予め記憶された記録媒体に印刷写真画像データを書き込むように、上記書込み装置を制御することを特徴とする請求項３４に記載の写真画像印刷装置。
【請求項３６】
上記画像データ記憶領域に記憶された印刷写真画像データには、撮影日時のデータが付加されていて、上記制御装置は、上記記録媒体にデータを書き込む場合に、撮影日時に従った順番で該記録媒体にデータを書き込むことを特徴とする請求項３４又は３５に記載の写真画像印刷装置。
【請求項３７】
上記記憶装置には、上記印刷写真画像データのファイル名であって、記録媒体に記録された写真画像に付与されていたファイル名である元ファイル名を記憶するための元ファイル名記憶領域とが設けられていて、
上記制御装置は、
該画像データ記憶領域に記憶させるか否かの判定の対象となる印刷写真画像データである対象印刷写真画像データの元ファイル名と同一の元ファイル名が該元ファイル名記憶領域に記憶されているか否かを判定する第１判定工程と、
該第１判定工程において、同一の元ファイル名が該元ファイル名記憶領域に記憶されている場合には、画像データ記憶領域に記憶されている印刷写真画像データであってその元ファイル名に対応する印刷写真画像データと、該対象印刷写真画像データとにおいて、撮影日時のデータと写真画像のデータサイズのデータとが同じであるか否かを判定する第２判定工程と、
該第１判定工程において、同一の元ファイル名が該元ファイル名記憶領域に記憶されていない場合及び該第２判定工程において、元ファイル名に対応する印刷写真画像データと対象印刷写真画像データとで、撮影日時のデータと写真画像のデータサイズのデータとがともに同じでない場合には、該印刷写真画像データを、そのファイル名を変更するとともに、該印刷写真画像データに付与されていた撮影日時のデータと写真画像のデータサイズのデータを付与して該画像データ記憶領域に記憶するとともに、元ファイル名を該画像データ記憶領域に記憶した印刷写真画像データと関連づけて元ファイル名記憶領域に記憶する記憶工程と、
を実行し、
該第２判定工程において、元ファイル名に対応する印刷写真画像データと対象印刷写真画像データとで、撮影日時のデータと写真画像のデータサイズのデータとがともに同じである場合には、すでに画像データ記憶領域に記憶されている印刷写真画像データと同一のデータであると判定して対象印刷写真画像データを画像データ記憶領域に記憶しないことを特徴とする請求項２７又は２８又は２９又は３０又は３１又は３２又は３３又は３４又は３５又は３６に記載の写真画像印刷装置。
【請求項３８】
上記制御装置は、
操作者が上記入力装置により焼き増し印刷を行うための所定の操作を行った場合には、上記画像データ記憶領域に記憶された印刷写真画像データを上記表示装置に表示させ、
該表示装置に表示された写真画像の中から印刷対象の写真画像が該入力装置により選択された場合には、該選択された写真画像のデータを印刷するように印刷装置を制御することを特徴とする請求項２６又は２７又は２８又は２９又は３０又は３１又は３２又は３３又は３４又は３５又は３６又は３７に記載の写真画像印刷装置。
【請求項３９】
上記記憶装置には、バックアップを行うためのバックアップ用データ記憶領域が設けられていて、
上記制御装置は、
写真画像印刷装置の起動後において所定の操作が上記入力装置によりあった場合には、上記画像データ記憶領域内のデータをクリアするともに、バックアップ用データ記憶領域内に新たな記憶領域である個別記憶領域を作成し、
写真画像を印刷することにより、印刷写真画像データを上記記憶装置に記憶する場合には、該印刷写真画像データを該画像データ記憶領域に記憶するとともに、該印刷写真画像データを該バックアップ用データ記憶領域における該個別記憶領域に記憶することを特徴とする請求項２６又は２７又は２８又は２９又は３０又は３１又は３２又は３３又は３４又は３５又は３６又は３７又は３８に記載の写真画像印刷装置。
【請求項４０】
上記写真画像印刷装置が、さらに、デジタルカメラを載置するとともにデジタルカメラに記録された写真画像のデータを読み出すためのトレー状の読出し装置であるドックを有し、
上記制御装置は、該ドックにより読み出された写真画像のデータを該表示装置に表示させるとともに、該表示装置に表示された写真画像の中から印刷対象の写真画像が該入力装置により選択された場合に、該選択された写真画像のデータを印刷するように印刷装置を制御することを特徴とする請求項２６又は２７又は２８又は２９又は３０又は３１又は３２又は３３又は３４又は３５又は３６又は３７又は３８又は３９に記載の写真画像印刷装置。
【請求項４１】
上記制御装置は、上記表示装置に、選択可能な記録媒体を表示する記録媒体選択用画面であって、メモリカードの種類を記録媒体の外観を示す表示部によりそれぞれ表示し、各表示部が操作用ボタンとなっている記録媒体選択用画面を表示し、操作者が、いずれかの表示部を選択することにより記録媒体の種類を選択することができることを特徴とする請求項２６又は２７又は２８又は２９又は３０又は３１又は３２又は３３又は３４又は３５又は３６又は３７又は３８又は３９又は４０に記載の写真画像印刷装置。
【請求項４２】
上記写真画像印刷装置が、写真画像印刷装置を移動させるための移動機構部を有することを特徴とする請求項２６又は２７又は２８又は２９又は３０又は３１又は３２又は３３又は３４又は３５又は３６又は３７又は３８又は３９又は４０又は４１に記載の写真画像印刷装置。
【請求項４３】
写真画像印刷装置が、さらに、電子メールを送信する送信装置を有することを特徴とする請求項２６又は２７又は２８又は２９又は３０又は３１又は３２又は３３又は３４又は３５又は３６又は３７又は３８又は３９又は４０又は４１又は４２に記載の写真画像印刷装置。
【請求項４４】
１又は複数の写真画像データを閲覧するためのプログラムである写真画像閲覧用プログラムであって、
上記写真画像データを一覧表示する処理と、
一覧表示された写真画像データの中から操作者により指定された写真画像データを拡大表示する処理と、
一覧表示された写真画像データの中から操作者により指定された写真画像データを印刷する処理と、
複数の写真画像データの中から所定の写真画像データを操作者に選択させるとともに、複数のポストカード作成用のフレームを表示して操作者に所定のフレームを選択させることによりポストカードの設計を行うとともに、所定のＷｅｂサイトにインターネットを介して接続することにより、設計したポストカードの注文を可能とする処理と、
を行なうことを特徴とする写真画像閲覧用プログラム。
【請求項４５】
デジタルカメラで撮影して得た写真画像を印刷する写真画像印刷装置で、デジタルカメラ用の記録媒体に記録された写真画像のデータを読み出す読出し装置と、画像データを表示する表示装置と、操作者により入力を行うための入力装置と、該読出し装置により読み出された写真画像のデータを印刷する印刷装置と、該読出し装置により読み出された写真画像のデータを該表示装置に表示させるとともに、該表示装置に表示された写真画像の中から印刷対象の写真画像が該入力装置により選択された場合に、該選択された写真画像のデータを印刷するように印刷装置を制御する制御装置と、を有する写真画像印刷装置による写真画像の提供方法であって、
該制御装置が、該表示装置に、選択可能な記録媒体を表示する記録媒体選択用画面であって、メモリカードの種類を記録媒体の外観を示す表示部によりそれぞれ表示し、各表示部が操作用ボタンとなっている記録媒体選択用画面を表示する第１表示工程と、
該記録媒体選択用画面が表示されている状態において、該入力装置によりいずれかの表示部を選択する操作があり、さらに、記録媒体が読出し装置に挿入された場合に、該制御装置が、該表示装置に、写真画像表示・印刷指定画面であって、読み出した写真画像のデータを表示するとともに、印刷する写真画像を選択し、印刷枚数を指定するための写真画像表示・印刷指定画面を表示する第２表示工程と、
該写真画像表示・印刷指定画面が表示されている状態において、該入力装置により印刷する写真画像と印刷枚数が指定する操作があった場合に、印刷装置により印刷を行う工程と、
を有することを特徴とする写真画像印刷装置による写真画像の提供方法。
【請求項４６】
上記読出し装置には、記録媒体を挿入する複数の挿入口で、記録媒体の種類に応じて設けられた挿入口が設けられ、
上記写真画像印刷装置による写真画像の提供方法が、さらに、
上記第１表示工程と第２表示工程の間に設けられた表示工程であって、上記記録媒体選択用画面においていずれかの表示部が選択する操作があった場合に、挿入口指示画面であって、選択された表示部に応じた記録媒体を挿入すべき挿入口を指示する挿入口指示画面を表示する表示工程を有することを特徴とする請求項４５に記載の写真画像印刷装置による写真画像の提供方法。
【請求項４７】
パーティにおけるサービスの提供方法であって、
デジタルカメラで撮影して得た写真画像を印刷する写真画像印刷装置をパーティ会場内に搬入して設置することにより、パーティの出席者がデジタルカメラで撮影して得た写真画像をパーティ会場において印刷できるようにしたことを特徴とするパーティにおけるサービスの提供方法。
【請求項４８】
パーティにおけるサービスの提供方法であって、
デジタルカメラで撮影して得た写真画像を印刷する写真画像印刷装置であって、請求項１又は２又は３又は４又は５又は６又は７又は８又は９又は１０又は１１又は１２又は１３又は１４又は１５又は１６又は１７又は１８又は１９又は２０に記載の写真画像印刷装置をパーティ会場内に搬入して設置することにより、パーティの出席者がデジタルカメラで撮影して得た写真画像をパーティ会場において印刷できるようにしたことを特徴とするパーティにおけるサービスの提供方法。
【請求項４９】
パーティにおけるサービスの提供方法であって、
デジタルカメラで撮影して得た写真画像を印刷する写真画像印刷装置であって、請求項２１又は２２又は２３又は２４又は２５又は２６又は２７又は２８又は２９又は３０又は３１又は３２又は３３又は３４又は３５又は３６又は３７又は３８又は３９又は４０又は４１又は４２又は４３に記載の写真画像印刷装置をパーティ会場内に搬入して設置することにより、パーティの出席者がデジタルカメラで撮影して得た写真画像をパーティ会場において印刷できるようにしたことを特徴とするパーティにおけるサービスの提供方法。
【請求項５０】
パーティにおけるサービスの提供方法であって、
デジタルカメラで撮影して得た写真画像を印刷する写真画像印刷装置であって、デジタルカメラ用の記録媒体に記録された写真画像のデータを読み出す読出し装置と、画像データを表示する表示装置と、操作者により入力を行うための入力装置と、該読出し装置により読み出された写真画像のデータを印刷する印刷装置と、所定のデータを記憶する記憶装置と、記録媒体に所定のデータを書き込む書込み装置と、該読出し装置により読み出された写真画像のデータを該表示装置に表示させるとともに、該表示装置に表示された写真画像の中から印刷対象の写真画像が該入力装置により選択された場合に、該選択された写真画像のデータを印刷するように印刷装置を制御し、さらに、印刷を行った写真画像のデータである印刷写真画像データを該記憶装置に記憶しておくとともに、該入力装置から所定の書込み指示操作があった場合に、該記憶装置に記憶されている該印刷写真画像データを記録媒体に書き込むように該書込み装置を制御する制御装置と、を有する写真画像印刷装置をパーティ会場内に搬入して設置する工程と、
所定の操作を行うことにより、該書込み装置にセットされている記録媒体に該印刷写真画像データを書き込む工程と、
を有することを特徴とするパーティにおけるサービスの提供方法。
【請求項５１】
上記該書込み装置にセットされている記録媒体に該印刷写真画像データを書き込む工程においては、撮影者の異なる印刷写真画像データであっても同一の記録媒体に書き込みが行われることを特徴とする請求項５０に記載のパーティにおけるサービスの提供方法。
【発明の詳細な説明】
【０００１】
【発明の属する技術分野】
本発明は、デジタルカメラで撮影された写真画像を印刷する写真画像印刷装置に関するものであり、また、パーティにおけるサービスを提供するサービス提供方法に関するものである。
【０００２】
【従来の技術】
従来より結婚披露宴等のパーティにおいては、参列者はカメラを持参する場合が多い。そして、現在では、アナログカメラのみならず、デジタルカメラも普及しており、デジタルカメラをパーティに持参する者も増加している。特に、　デジタルカメラは、撮影して得た写真画像データをデジタルデータとして記録し、パソコン等に取り込んで表示したり、各種加工処理ができることから近年普及している。
【０００３】
【発明が解決しようとする課題】
しかし、パーティにおいてカメラで撮影した写真を被写体となった者に渡すには従来では手間が掛かるという問題があった。つまり、カメラがアナログカメラの場合でもデジタルカメラの場合でも、撮影したカメラを持ち帰ってプリントした後に被写体となった者に渡す必要があり、場合によっては、郵送により送らなければならないという問題があった。また、特にカメラがアナログカメラの場合には、撮影が成功しているか否かを確認することができないという問題もあった。
【０００４】
また、インスタントカメラによりその場で撮影した写真を得ることができる場合もあるが、その場合には、１回の撮影により１枚しか写真を得ることができないという問題がある。つまり、１つの写真画像を複数枚プリントすることができないことから、集合写真を撮った場合等において、被写体となった全ての者に写真を渡すことができないという問題があった。
【０００５】
また、結婚披露宴等におけるパーティにおいて催される催しとしては、カラオケ、スライド等が定番化しているが、従来にない新たな催しが要望されていた。
【０００６】
そこで、本発明は、パーティにおいて撮影した写真の受け渡しを容易に行うことができるとともに、１回の撮影で複数の写真をプリントして得ることができ、さらには、パーティにおける新たな催しを提供することができる装置と方法を提供することを目的とするものである。
【０００７】
【課題を解決するための手段】
本発明は上記問題点を解決するために創作されたものであって、第１には、デジタルカメラで撮影して得た写真画像を印刷する写真画像印刷装置であって、デジタルカメラ用の記録媒体に記録された写真画像のデータを読み出す読出し装置と、画像データを表示する表示装置と、操作者により入力を行うための入力装置と、該読出し装置により読み出された写真画像のデータを印刷する印刷装置と、所定のデータを記憶する記憶装置と、記録媒体に所定のデータを書き込む書込み装置と、該読出し装置により読み出された写真画像のデータを該表示装置に表示させるとともに、該表示装置に表示された写真画像の中から印刷対象の写真画像が該入力装置により選択された場合に、該選択された写真画像のデータを印刷するように印刷装置を制御し、さらに、印刷を行った写真画像のデータである印刷写真画像データを該記憶装置に記憶しておくとともに、該入力装置から所定の書込み指示操作があった場合に、該記憶装置に記憶されている該印刷写真画像データを記録媒体に書き込むように該書込み装置を制御する制御装置と、を有することを特徴とする。
【０００８】
この第１の構成の写真画像印刷装置においては、該読出し装置によりデジタルカメラ用の記録媒体に記録された写真画像のデータを読み出して、読み出された写真画像のデータを該表示装置に表示させるとともに、該表示装置に表示された写真画像の中から印刷対象の写真画像が該入力装置により選択された場合に、該選択された写真画像のデータを該印刷装置により印刷するとともに、印刷を行った写真画像のデータである印刷写真画像データを該記憶装置に記憶しておく。そして、入力装置から所定の書込み指示操作があった場合に、該書込み装置により、該記憶装置に記憶されている該印刷写真画像データを記録媒体に書き込む。よって、本発明の写真画像印刷装置によれば、デジタルカメラで撮った写真画像をその場で印刷することができるので、写真画像印刷装置をパーティ会場等で使用した場合に、写真画像を被写体となった者に後で郵送等で渡す必要がなく、また、撮影して得た写真画像をその場で見ることができるので、写真画像を介してパーティの雰囲気を盛り上げることが可能となる。また、写真画像の選択に際して、印刷枚数を入力装置により指定できるようにすることにより、１回の撮影で複数枚印刷することができる。また、印刷した写真画像のデータを記録媒体に保存しておくことができるので、結婚披露宴等のパーティにおいて使用した場合に、該写真画像のデータを記録した記録媒体を記念として取っておくことができるとともに、記録媒体に記録されたデータを挨拶状等に活用することが可能となる。
【０００９】
また、第２には、上記第１の構成において、上記制御装置は、上記写真画像印刷装置の起動後最初に上記印刷写真画像データを上記記憶装置に記憶する場合には、該記憶装置に所定の記憶領域を作成して該記憶領域に該印刷写真画像データを記憶し、その後、印刷写真画像データを上記記憶装置に記憶する場合には、該作成された記憶領域に記憶していき、上記記憶媒体に書き込む際には、該記憶領域に記憶されたデータを書き込むとともに、印刷写真画像データを該記憶領域に記憶する際には、該印刷写真画像データに写真画像のファイル名と撮影時刻の情報を付加して記憶し、また、写真画像データの印刷が行われた場合に、その写真画像のファイル名と同一のファイル名であり、かつ、該写真画像の撮影時刻と同一の撮影時刻である情報が付加されている写真画像がすでに該記憶領域に記憶されている場合には、印刷を行った該写真画像の記憶を中止することを特徴とする。
【００１０】
よって、同一の写真画像データを重複して記憶装置に記憶するおそれがなく、結果として、同一の写真画像データを重複して記録媒体に書き込むおそれがない。
【００１１】
また、第３には、上記第２の構成において、上記制御装置は、上記記憶領域に印刷写真画像データを記憶する際には、撮影時刻の情報に従い、撮影時刻順に各印刷写真画像データを並べた状態となるように記憶を行うことを特徴とする。よって、印刷写真画像データが記録されたディスクを閲覧する際にも、撮影時刻順に閲覧することができる。
【００１２】
また、第４には、上記第１から第３までのいずれかの構成において、上記記憶装置には、撮影者の異なる印刷写真画像データであっても同一の記憶領域に記憶され、該撮影者の異なる印刷写真画像データが、上記書込み装置により記録媒体に書き込まれることを特徴とする。
【００１３】
また、第５には、上記第１から第４までのいずれかの構成において、上記記憶装置には、上記記録媒体に書き込まれた上記印刷写真画像データを閲覧するための閲覧用プログラムのデータが記憶されていて、上記制御装置は、上記印刷写真画像データを記録媒体に書き込む際に、該閲覧用プログラムのデータとともに該印刷写真画像データを該記録媒体に書き込むように上記書込み装置を制御することを特徴とする。
【００１４】
よって、閲覧用プログラムのデータとともに該印刷写真画像データが該記録媒体に書き込まれるので、該印刷写真画像データを容易に閲覧することが可能となる。
【００１５】
また、第６は、上記第５の構成において、上記閲覧用プログラムが、上記印刷写真画像データを一覧表示するとともに、一覧表示された印刷写真画像データの中から操作者により指定された写真画像のデータを拡大表示する処理と、上記印刷写真画像データにおける写真画像のデータを操作者に選択させるとともに、複数のポストカード作成用のフレームを表示して操作者に所定のフレームを選択させることによりポストカードの設計を行うとともに、所定のＷｅｂサイトにインターネットを介して接続することにより、設計したポストカードの注文を可能とする処理と、を行なうことを特徴とする。
【００１６】
よって、写真画像を１つずつ拡大して閲覧することができるとともに、撮影して得た写真画像を活用したポストカードを容易に作成して注文することができる。
【００１７】
また、第７には、デジタルカメラで撮影して得た写真画像を印刷する写真画像印刷装置であって、デジタルカメラ用の記録媒体に記録された写真画像のデータを読み出す読出し装置と、画像データを表示する表示装置と、操作者により入力を行うための入力装置と、該読出し装置により読み出された写真画像のデータを印刷する印刷装置と、記録媒体に所定のデータを書き込む書込み装置と、該読出し装置により読み出された写真画像のデータを該表示装置に表示させるとともに、該表示装置に表示された写真画像の中から印刷対象の写真画像が該入力装置により選択された場合に、該選択された写真画像のデータを印刷するように印刷装置を制御し、さらに、印刷を行った写真画像のデータである印刷写真画像データを記録媒体に書き込むように該書込み装置を制御する制御装置と、を有することを特徴とする。
【００１８】
この第７の構成の写真画像印刷装置においては、該読出し装置によりデジタルカメラ用の記録媒体に記録された写真画像のデータを読み出して、読み出された写真画像のデータを該表示装置に表示させるとともに、該表示装置に表示された写真画像の中から印刷対象の写真画像が該入力装置により選択された場合に、該選択された写真画像のデータを該印刷装置により印刷するとともに、印刷を行った写真画像のデータである印刷写真画像データを記録媒体に書き込むように該書込み装置を制御する。よって、本発明の写真画像印刷装置によれば、デジタルカメラで撮った写真画像をその場で印刷することができるので、写真画像印刷装置をパーティ会場等で使用した場合に、写真画像を被写体となった者に後で郵送等で渡す必要がなく、また、撮影して得た写真画像をその場で見ることができるので、写真画像を介してパーティの雰囲気を盛り上げることが可能となる。また、写真画像の選択に際して、印刷枚数を入力装置により指定できるようにすることにより、１回の撮影で複数枚印刷することができる。また、印刷した写真画像のデータを記録媒体に保存しておくことができるので、結婚披露宴等のパーティにおいて使用した場合に、該写真画像のデータを記録した記録媒体を記念として取っておくことができるとともに、記録媒体に記録されたデータを挨拶状等に活用することが可能となる。なお、この第７の構成において、上記第２から第４までの構成を適用する場合に、記憶装置に記憶領域を作成することなく、直接記録媒体に記憶するようにしてもよい。
【００１９】
また、第８には、上記第１から第７までのいずれかの構成において、上記写真画像印刷装置が、さらに、デジタルカメラを載置するとともにデジタルカメラに記録された写真画像のデータを読み出すためのトレー状の読出し装置であるドックを有し、上記制御装置は、該ドックにより読み出された写真画像のデータを該表示装置に表示させるとともに、該表示装置に表示された写真画像の中から印刷対象の写真画像が該入力装置により選択された場合に、該選択された写真画像のデータを印刷するように印刷装置を制御することを特徴とする。
【００２０】
よって、ドックにデジタルカメラを用意しておけば、パーティの出席者等がデジタルカメラを持参していなくても、該デジタルカメラを利用して撮影し、その場で印刷することが可能となる。
【００２１】
また、第９には、上記第１から第８までのいずれかの構成において、上記制御装置は、上記表示装置に、選択可能な記録媒体を表示する記録媒体選択用画面であって、メモリカードの種類を記録媒体の外観を示す表示部によりそれぞれ表示し、各表示部が操作用ボタンとなっている記録媒体選択用画面を表示し、操作者が、いずれかの表示部を選択することにより記録媒体の種類を選択することができることを特徴とする。
【００２２】
よって、メモリカードの種類が記録媒体の外観を示す表示部によりそれぞれ表示されるので、記録媒体の種類の特定が容易となり、また、各表示部が操作用ボタンとなっているので、使用している記録媒体を示す表示部をそのまま操作すればよく、使い勝手をよくすることが可能となる。
【００２３】
また、第１０には、デジタルカメラで撮影して得た写真画像を印刷する写真画像印刷装置であって、デジタルカメラ用の記録媒体に記録された写真画像のデータを読み出す読出し手段と、該読出し手段により読み出された写真画像のデータを表示する表示手段と、該表示手段に表示された写真画像の中から印刷する写真画像を選択する入力手段と、該表示手段により写真画像のデータが表示された状態で、該入力手段により写真画像の選択が行われた場合に、選択された写真画像のデータを印刷する印刷手段と、該印刷手段により印刷された写真画像についてのデータである印刷写真画像データを記憶する記憶手段と、該記憶手段に記憶されている印刷写真画像データを記録媒体に書き込む書込み手段と、を有することを特徴とする。
【００２４】
この第１０の構成の写真画像印刷装置においては、該読出し装置によりデジタルカメラ用の記録媒体に記録された写真画像のデータが読み出されると、該表示手段により、該読出し手段により読み出された写真画像のデータが表示される。そして、操作者が、入力手段により、該表示手段に表示された写真画像の中から印刷する写真画像を選択すると、該印刷手段は、選択された写真画像のデータを印刷する。また、記憶手段は、該印刷手段により印刷された写真画像についてのデータである印刷写真画像データを記憶し、該書込み手段は、該記憶手段に記憶されている印刷写真画像データを記録媒体に書き込む。よって、デジタルカメラで撮った写真画像をその場で印刷することができるので、写真画像印刷装置をパーティ会場等で使用した場合に、写真画像を被写体となった者に後で郵送等で渡す必要がなく、また、撮影して得た写真画像をその場で見ることができるので、写真画像を介してパーティの雰囲気を盛り上げることが可能となる。また、写真画像の選択に際して、印刷枚数を入力装置により指定できるようにすることにより、１回の撮影で複数枚印刷することができる。また、印刷した写真画像のデータを記録媒体に保存しておくことができるので、結婚披露宴等のパーティにおいて使用した場合に、該写真画像のデータを記録した記録媒体を記念として取っておくことができるとともに、記録媒体に記録されたデータを挨拶状等に活用することが可能となる。
【００２５】
なお、この第１０の構成に従属する構成として、以下の構成としてもよい。つまり、「上記記憶手段には、上記記録媒体に書き込まれた印刷写真画像データを閲覧するための閲覧用プログラムのデータが記憶されていて、上記書込み手段は、上記印刷写真画像データを記録媒体に書き込む際に、該閲覧用プログラムのデータとともに該印刷写真画像データを該記録媒体に書き込むことを特徴とする。」としてもよい。
【００２６】
また、上記第１０の構成又は第１０の構成に従属する構成に従属する構成として、以下の構成としてもよい。つまり、「上記読出し手段が、さらに、デジタルカメラを載置するとともにデジタルカメラに記録された写真画像のデータを読み出すためのトレー状の読出し装置であるドックを有することを特徴とする。」としてもよい。
【００２７】
また、第１１には、上記第１から第１０までのいずれかの構成において、上記写真画像印刷装置が、写真画像印刷装置を移動させるための移動機構部を有することを特徴とする。よって、写真画像印刷装置を容易に移動させることができ、パーティ会場等にも容易に搬入することが可能となる。
【００２８】
また、第１２には、デジタルカメラで撮影して得た写真画像を印刷する写真画像印刷装置であって、デジタルカメラ用の記録媒体に記録された写真画像のデータを読み出す読出し装置と、画像データを表示する表示装置と、操作者により入力を行うための入力装置と、該読出し装置により読み出された写真画像のデータを印刷する印刷装置と、該読出し装置により読み出された写真画像のデータを該表示装置に表示させるとともに、該表示装置に表示された写真画像の中から印刷対象の写真画像が該入力装置により選択された場合に、該選択された写真画像のデータを印刷するように印刷装置を制御する制御装置と、写真画像印刷装置を移動させるための移動機構部と、を有することを特徴とする。
【００２９】
この第１２の構成の写真画像印刷装置においては、該読出し装置によりデジタルカメラ用の記録媒体に記録された写真画像のデータを読み出して、読み出された写真画像のデータを該表示装置に表示させるとともに、該表示装置に表示された写真画像の中から印刷対象の写真画像が該入力装置により選択された場合に、該選択された写真画像のデータを該印刷装置により印刷する。よって、本発明の写真画像印刷装置によれば、デジタルカメラで撮った写真画像をその場で印刷することができるので、写真画像印刷装置をパーティ会場等で使用した場合に、写真画像を被写体となった者に後で郵送等で渡す必要がなく、また、撮影して得た写真画像をその場で見ることができるので、写真画像を介してパーティの雰囲気を盛り上げることが可能となる。また、上記移動機構部が設けられているので、パーティ会場等に搬入する際に容易に搬入を行うことができる。
【００３０】
また、第１３には、上記第１２の構成において、上記写真画像印刷装置が、さらに、デジタルカメラを載置するとともにデジタルカメラに記録された写真画像のデータを読み出すためのトレー状の読出し装置であるドックを有し、
上記制御装置は、該ドックにより読み出された写真画像のデータを該表示装置に表示させるとともに、該表示装置に表示された写真画像の中から印刷対象の写真画像が該入力装置により選択された場合に、該選択された写真画像のデータを印刷するように印刷装置を制御することを特徴とする。
【００３１】
よって、ドックにデジタルカメラを用意しておけば、パーティの出席者等がデジタルカメラを持参していなくても、該デジタルカメラを利用して撮影し、その場で印刷することが可能となる。
【００３２】
また、第１４には、上記第１２又は第１３の構成において、上記制御装置は、上記表示装置に、選択可能な記録媒体を表示する記録媒体選択用画面であって、メモリカードの種類を記録媒体の外観を示す表示部によりそれぞれ表示し、各表示部が操作用ボタンとなっている記録媒体選択用画面を表示し、操作者が、いずれかの表示部を選択することにより記録媒体の種類を選択することができることを特徴とする。
【００３３】
よって、メモリカードの種類が記録媒体の外観を示す表示部によりそれぞれ表示されるので、記録媒体の種類の特定が容易となり、また、各表示部が操作用ボタンとなっているので、使用している記録媒体を示す表示部をそのまま操作すればよく、使い勝手をよくすることが可能となる。
【００３４】
また、第１５には、デジタルカメラで撮影して得た写真画像を印刷する写真画像印刷装置であって、デジタルカメラ用の記録媒体に記録された写真画像のデータを読み出す読出し手段と、該読出し手段により読み出された写真画像のデータを表示する表示手段と、該表示手段に表示された写真画像の中から印刷する写真画像を選択する入力手段と、該表示手段により写真画像のデータが表示された状態で、該入力手段により写真画像の選択が行われた場合に、選択された写真画像のデータを印刷する印刷手段と、写真画像印刷装置を移動させるための移動機構部と、を有することを特徴とする。
【００３５】
この第１５の構成の写真画像印刷装置においては、該読出し装置によりデジタルカメラ用の記録媒体に記録された写真画像のデータが読み出されると、該表示手段により、該読出し手段により読み出された写真画像のデータが表示される。そして、操作者が、入力手段により、該表示手段に表示された写真画像の中から印刷する写真画像を選択すると、該印刷手段は、選択された写真画像のデータを印刷する。よって、デジタルカメラで撮った写真画像をその場で印刷することができるので、写真画像印刷装置をパーティ会場等で使用した場合に、写真画像を被写体となった者に後で郵送等で渡す必要がなく、また、撮影して得た写真画像をその場で見ることができるので、写真画像を介してパーティの雰囲気を盛り上げることが可能となる。また、写真画像の選択に際して、印刷枚数を入力装置により指定できるようにすることにより、１回の撮影で複数枚印刷することができる。また、上記移動機構部が設けられているので、パーティ会場等に搬入する際に容易に搬入を行うことができる。
【００３６】
また、第１６には、上記第１１から第１５までのいずれかの構成において、上記移動機構部が、車輪と、上記写真画像印刷装置を移動させるための把手であることを特徴とする。
【００３７】
また、第１７には、上記第１又は２又は３又は４又は５又は６又は７又は８又は９又は１１又は１２又は１３又は１４の構成において、上記表示装置が液晶ディスプレイであって、上記入力装置が該表示装置の表示面に設けられたデジタイザであり、上記印刷装置は、該表示装置の背面側に設けられていて、該印刷装置における印刷用紙の搬送方向は、該表示装置の表示面の向きを正面とした場合に左右方向であり、印刷した写真画像の排出口は印刷装置の側方にあることを特徴とする。
【００３８】
よって、表示装置が液晶ディスプレイであり、上記入力装置が該表示装置の表示面に設けられたデジタイザであるので、入力装置と表示装置のスペースを小さくでき、また、上記印刷装置が、該表示装置の背面側に設けられていて、さらに、該印刷装置における印刷用紙の搬送方向は、該表示装置の表示面の向きを正面とした場合に左右方向であり、印刷した写真画像の排出口は印刷装置の側方にあるので、表示装置の背面のスペースを有効に活用することができる。つまり、表示装置の背面に設けられる横長のスペースを有効に活用することができる。よって、装置全体を小型化することが可能となる。
【００３９】
また、第１８には、デジタルカメラで撮影して得た写真画像を印刷する写真画像印刷装置であって、デジタルカメラ用の記録媒体に記録された写真画像のデータを読み出す読出し装置と、画像データを表示する表示装置で、液晶ディスプレイにより構成される表示装置と、操作者により入力を行うための入力装置で、該表示装置の表示面に設けられたデジタイザにより構成される入力装置と、該読出し装置により読み出された写真画像のデータを印刷する印刷装置で、該表示装置の背面側に設けられていて、該印刷装置における印刷用紙の搬送方向が、該表示装置の表示面の向きを正面とした場合に左右方向であり、印刷した写真画像の排出口は印刷装置の側方にある印刷装置と、該読出し装置により読み出された写真画像のデータを該表示装置に表示させるとともに、該表示装置に表示された写真画像の中から印刷対象の写真画像が該入力装置により選択された場合に、該選択された写真画像のデータを印刷するように印刷装置を制御する制御装置と、を有することを特徴とする。
【００４０】
この第１８の構成の写真画像印刷装置においては、該読出し装置によりデジタルカメラ用の記録媒体に記録された写真画像のデータを読み出して、読み出された写真画像のデータを該表示装置に表示させるとともに、該表示装置に表示された写真画像の中から印刷対象の写真画像が該入力装置により選択された場合に、該選択された写真画像のデータを該印刷装置により印刷する。よって、デジタルカメラで撮った写真画像をその場で印刷することができるので、写真画像印刷装置をパーティ会場等で使用した場合に、写真画像を被写体となった者に後で郵送等で渡す必要がなく、また、撮影して得た写真画像をその場で見ることができるので、写真画像を介してパーティの雰囲気を盛り上げることが可能となる。また、写真画像の選択に際して、印刷枚数を入力装置により指定できるようにすることにより、１回の撮影で複数枚印刷することができる。また、表示装置が液晶ディスプレイであり、上記入力装置が該表示装置の表示面に設けられたデジタイザであるので、入力装置と表示装置のスペースを小さくでき、また、上記印刷装置が、該表示装置の背面側に設けられていて、さらに、該印刷装置における印刷用紙の搬送方向は、該表示装置の表示面の向きを正面とした場合に左右方向であり、印刷した写真画像の排出口は印刷装置の側方にあるので、表示装置の背面のスペースを有効に活用することができる。つまり、表示装置の背面に設けられる横長のスペースを有効に活用することができる。よって、装置全体を小型化することが可能となる。
【００４１】
また、第１９には、上記第１から第１８までのいずれかの構成において、選択された写真画像のデータを印刷する際には、操作者により指定された枚数分印刷することを特徴とする。よって、１回の撮影で複数枚印刷できるので、集合写真を撮った場合等において、被写体となった全ての者に写真を渡すことができる。
【００４２】
また、第２０には、上記第１から第１９までのいずれかの構成において、上記入力装置又は入力手段による設定に基づいて、印刷装置又は印刷手段が写真画像を印刷する際に、文字及び／又は記号からなる表示情報であって、表示情報を構成する各文字及び／又は記号における構成部分が白色以外の有色領域と該有色領域の周囲に存在する白色領域とからなる表示情報を写真画像に重ねて印刷することを特徴とする。よって、表示内容を鮮明に表すとともに、表示内容に趣を出すことができるようになる。
【００４３】
また、第２１には、上記第１から第６までのいずれかの構成において、上記制御装置は、操作者が上記入力装置により焼き増し印刷を行うための所定の操作を行った場合には、上記記憶領域に記憶された印刷写真画像データを上記表示装置に表示させ、該表示装置に表示された写真画像の中から印刷対象の写真画像が該入力装置により選択された場合には、該選択された写真画像のデータを印刷するように印刷装置を制御するとともに、該焼き増し印刷を行なうための所定の操作を行って写真画像のデータを印刷した場合には、写真画像については印刷写真画像データの上記記憶装置への記憶を中止することを特徴とする。
【００４４】
よって、この焼き増し機能によれば、ある写真画像を印刷した後に、その写真を入手したい場合には、その写真画像のデータが記録されている記録媒体を読出し装置により読み出すことなく容易に入手することが可能となる。
【００４５】
また、第２２には、上記第１から第９までにいずれかの構成又は第２１の構成において、上記記憶装置には、上記印刷写真画像データを記憶するための画像データ記憶領域と、バックアップを行うためのバックアップ用データ記憶領域とが設けられていて、上記制御装置は、写真画像印刷装置の起動後において所定の操作が上記入力装置によりあった場合には、該画像データ記憶領域内のデータをクリアするともに、バックアップ用データ記憶領域内に新たな記憶領域である個別記憶領域を作成し、写真画像を印刷することにより、印刷写真画像データを上記記憶装置に記憶する場合には、該印刷写真画像データを該画像データ記憶領域に記憶するとともに、該印刷写真画像データを該バックアップ用データ記憶領域における該個別記憶領域に記憶することを特徴とする。よって、写真画像データのバックアップを行うことができる。
【００４６】
また、第２３には、上記第１から第９までにいずれかの構成又は第２１又は第２２の構成において、上記第１の構成において、上記記憶装置には、上記印刷写真画像データを記憶する画像データ記憶領域と、該印刷写真画像データのファイル名であって、記録媒体に記録された写真画像に付与されていたファイル名である元ファイル名を記憶するための元ファイル名記憶領域とが設けられていて、上記制御装置は、該画像データ記憶領域に記憶させるか否かの判定の対象となる印刷写真画像データである対象印刷写真画像データの元ファイル名と同一の元ファイル名が該元ファイル名記憶領域に記憶されているか否かを判定する第１判定工程と、該第１判定工程において、同一の元ファイル名が該元ファイル名記憶領域に記憶されている場合には、画像データ記憶領域に記憶されている印刷写真画像データであってその元ファイル名に対応する印刷写真画像データと、該対象印刷写真画像データとにおいて、撮影日時のデータと写真画像のデータサイズのデータとが同じであるか否かを判定する第２判定工程と、該第１判定工程において、同一の元ファイル名が該元ファイル名記憶領域に記憶されていない場合及び該第２判定工程において、元ファイル名に対応する印刷写真画像データと対象印刷写真画像データとで、撮影日時のデータと写真画像のデータサイズのデータとがともに同じでない場合には、該印刷写真画像データを、そのファイル名を変更するとともに、該印刷写真画像データに付与されていた撮影日時のデータと写真画像のデータサイズのデータを付与して該画像データ記憶領域に記憶するとともに、元ファイル名を該画像データ記憶領域に記憶した印刷写真画像データと関連づけて元ファイル名記憶領域に記憶する記憶工程と、を実行し、該第２判定工程において、元ファイル名に対応する印刷写真画像データと対象印刷写真画像データとで、撮影日時のデータと写真画像のデータサイズのデータとがともに同じである場合には、すでに同一の印刷写真画像データが画像データ記憶領域に記憶されているものとして対象印刷写真画像データを画像データ記憶領域に記憶しないことを特徴とする。
【００４７】
よって、すでに画像データ記憶領域に記憶されている写真画像データを重複して記憶するおそれがない。
【００４８】
また、第２４には、上記第１から第９までにいずれかの構成又は第２１又は第２２又は第２３の構成において、上記制御装置は、上記記録媒体に書き込まれた印刷写真画像データを閲覧するための閲覧用プログラムが予め記憶された記録媒体に印刷写真画像データを書き込むように、上記書込み装置を制御することを特徴とする。
【００４９】
また、第２５には、上記第２４の構成において、上記印刷写真画像データには、撮影日時のデータが付加されていて、上記制御装置は、上記記録媒体にデータを書き込む場合に、撮影日時に従った順番で該記録媒体にデータを書き込むことを特徴とする。よって、閲覧用プログラムによって写真画像を閲覧する場合に、時間順に閲覧をすることが可能となる。
【００５０】
なお、上記第２１から第２５までのいずれかの構成において、請求項８の内容を有するものとしてもよく、又は、請求項９の内容を有するものとしてもよく、または、請求項１１の内容を有するものとしてもよく、又は、請求項１７の内容を有するものとしてもよく、又は、請求項１９の内容を有するものとしてもよく、又は、請求項２０の内容を有するものとしてもよい。
【００５１】
また、第２６には、デジタルカメラで撮影して得た写真画像を印刷する写真画像印刷装置であって、デジタルカメラ用の記録媒体に記録された写真画像のデータを読み出す読出し装置と、画像データを表示する表示装置と、操作者により入力を行うための入力装置と、該読出し装置により読み出された写真画像のデータを印刷する印刷装置と、データを記憶する記憶装置であって、写真画像のデータを記憶する画像データ記憶領域と、記録媒体に記録された写真画像に付与されていたファイル名である元ファイル名を記憶するための元ファイル名記憶領域とが設けられた記憶装置と、該読出し装置により読み出された写真画像のデータを該表示装置に表示させるとともに、該表示装置に表示された写真画像の中から印刷対象の写真画像が該入力装置により選択された場合に、該選択された写真画像のデータを印刷するように印刷装置を制御し、さらに、印刷を行った写真画像のデータである印刷写真画像データを該記憶装置に記憶する制御装置と、を有し、該制御装置は、該画像データ記憶領域に記憶させるか否かの判定の対象となる印刷写真画像データである対象印刷写真画像データの元ファイル名と同一の元ファイル名が該元ファイル名記憶領域に記憶されているか否かを判定する第１判定工程と、該第１判定工程において、同一の元ファイル名が該元ファイル名記憶領域に記憶されている場合には、画像データ記憶領域に記憶されている印刷写真画像データであってその元ファイル名に対応する印刷写真画像データと、該対象印刷写真画像データとにおいて、撮影日時のデータと写真画像のデータサイズのデータとが同じであるか否かを判定する第２判定工程と、該第１判定工程において、同一の元ファイル名が該元ファイル名記憶領域に記憶されていない場合及び該第２判定工程において、元ファイル名に対応する印刷写真画像データと対象印刷写真画像データとで、撮影日時のデータと写真画像のデータサイズのデータとがともに同じでない場合には、該印刷写真画像データを、そのファイル名を変更するとともに、該印刷写真画像データに付与されていた撮影日時のデータと写真画像のデータサイズのデータを付与して該画像データ記憶領域に記憶するとともに、元ファイル名を該画像データ記憶領域に記憶した印刷写真画像データと関連づけて元ファイル名記憶領域に記憶する記憶工程と、を実行し、該第２判定工程において、元ファイル名に対応する印刷写真画像データと対象印刷写真画像データとで、撮影日時のデータと写真画像のデータサイズのデータとがともに同じである場合には、すでに同一の印刷写真画像データが画像データ記憶領域に記憶されているものとして対象印刷写真画像データを画像データ記憶領域に記憶しないことを特徴とする。
【００５２】
この第２６の構成の写真画像印刷装置においては、該読出し装置によりデジタルカメラ用の記録媒体に記録された写真画像のデータを読み出して、読み出された写真画像のデータを該表示装置に表示させるとともに、該表示装置に表示された写真画像の中から印刷対象の写真画像が該入力装置により選択された場合に、該選択された写真画像のデータを該印刷装置により印刷するとともに、印刷を行った写真画像のデータである印刷写真画像データを該記憶装置に記憶しておく。よって、本発明の写真画像印刷装置によれば、デジタルカメラで撮った写真画像をその場で印刷することができるので、写真画像印刷装置をパーティ会場等で使用した場合に、写真画像を被写体となった者に後で郵送等で渡す必要がなく、また、撮影して得た写真画像をその場で見ることができるので、写真画像を介してパーティの雰囲気を盛り上げることが可能となる。また、写真画像の選択に際して、印刷枚数を入力装置により指定できるようにすることにより、１回の撮影で複数枚印刷することができる。また、すでに画像データ記憶領域に記憶されている写真画像のデータと、ファイル名と撮影日時とデータサイズの全てが同一の写真画像を画像データ記憶領域に記憶しないので、同一の写真画像を重複して記憶するおそれがない。また、ファイル名を変更するので、画像データ記憶領域に記憶された写真画像データのファイル名が同一のファイル名とならないようにすることができる。なお、変更後のファイル名は、画像データ記憶領域に記憶された順序に従い順序付けられたファイル名であることが好ましい。
【００５３】
なお、上記第２６の構成に従属する構成として、写真画像印刷装置が、さらに、記録媒体に所定のデータを書き込む書込み装置を有し、上記制御装置は、該入力装置から所定の書込み指示操作があった場合に、上記画像データ記憶領域に記憶されている該印刷写真画像データを記録媒体に書き込むように該書込み装置を制御することを特徴とするものとしてもよい。この場合には、印刷した写真画像のデータを記録媒体に保存しておくことができるので、結婚披露宴等のパーティにおいて使用した場合に、該写真画像のデータを記録した記録媒体を記念として取っておくことができるとともに、記録媒体に記録されたデータを挨拶状等に活用することが可能となる。
【００５４】
また、上記第２６の構成や第２６の構成に従属する構成に従属する構成として、上記制御装置は、操作者が上記入力装置により焼き増し印刷を行うための所定の操作を行った場合には、上記画像データ記憶領域に記憶された印刷写真画像データを上記表示装置に表示させ、該表示装置に表示された写真画像の中から印刷対象の写真画像が該入力装置により選択された場合には、該選択された写真画像のデータを印刷するように印刷装置を制御することを特徴とするようにしてもよい。この場合には、この焼き増し機能によれば、ある写真画像を印刷した後に、その写真を入手したい場合には、その写真画像のデータが記録されている記録媒体を読出し装置により読み出すことなく容易に入手することが可能となる。なお、該焼き増し印刷を行なうための所定の操作を行って写真画像のデータを印刷した場合には、写真画像については印刷写真画像データの上記画像データ記憶領域への記憶を中止することとするのが好ましい。つまり、この場合の印刷写真画像データはすでに画像データ記憶領域にすでに記憶されているので、再度記憶させる必要はない。
【００５５】
また、上記第２６の構成や第２６の構成に従属する構成に従属する構成として、上記記憶装置には、バックアップを行うためのバックアップ用データ記憶領域が設けられていて、上記制御装置は、写真画像印刷装置の起動後において所定の操作が上記入力装置によりあった場合には、上記画像データ記憶領域内のデータをクリアするともに、バックアップ用データ記憶領域内に新たな記憶領域である個別記憶領域を作成し、写真画像を印刷することにより、印刷写真画像データを上記記憶装置に記憶する場合には、該印刷写真画像データを該画像データ記憶領域に記憶するとともに、該印刷写真画像データを該バックアップ用データ記憶領域における該個別記憶領域に記憶することを特徴とする。この場合には、写真画像データのバックアップを行うことができる。
【００５６】
なお、上記第２６又は第２６に従属する構成において、請求項８の内容を有するものとしてもよく、又は、請求項９の内容を有するものとしてもよく、または、請求項１１の内容を有するものとしてもよく、又は、請求項１７の内容を有するものとしてもよく、又は、請求項１９の内容を有するものとしてもよく、又は、請求項２０の内容を有するものとしてもよい。
【００５７】
また、第２７には、デジタルカメラで撮影して得た写真画像を印刷する写真画像印刷装置であって、デジタルカメラ用の記録媒体に記録された写真画像のデータを読み出す読出し装置と、通信回線を介して送信された写真画像のデータを受信する受信装置と、画像データを表示する表示装置と、操作者により入力を行うための入力装置と、該読出し装置により読み出された写真画像のデータを印刷する印刷装置と、任意のデータを記憶する記憶装置であって、上記印刷装置により印刷した写真画像のデータである印刷写真画像データを記憶する画像データ記憶領域を有する記憶装置と、該受信装置により受信された写真画像や、該読出し装置により読み出された写真画像について、該表示装置への表示及び／又は該印刷装置による印刷を行なうように制御を行い、さらに、該画像データ領域への記憶を行わない場合を除き、印刷を行った写真画像のデータである印刷写真画像データを該画像データ記憶領域に記憶する制御装置と、を有することを特徴とする。
【００５８】
この第２７の構成の写真画像印刷装置においては、該受信装置により受信された写真画像や、該読出し装置により読み出された写真画像について、該表示装置への表示及び／又は該印刷装置による印刷が行われ、さらに、該画像データ領域への記憶を行わない場合を除き、印刷を行った写真画像のデータである印刷写真画像データが該画像データ記憶領域に記憶される。よって、この第２７の構成の写真画像印刷装置によれば、デジタルカメラで撮った写真画像をその場で印刷することができるので、写真画像印刷装置をパーティ会場等で使用した場合に、写真画像を被写体となった者に後で郵送等で渡す必要がなく、また、撮影して得た写真画像をその場で見ることができるので、写真画像を介してパーティの雰囲気を盛り上げることが可能となる。また、写真画像の選択に際して、印刷枚数を入力装置により指定できるようにすることにより、１回の撮影で複数枚印刷することができる。また、外部から通信回線を介して送られた写真画像を表示、印刷できるので、パーティに出席できない者からも写真画像を受信することができ、よりパーティの雰囲気を盛り上げることが可能となる。また、印刷を行った写真画像のデータである印刷写真画像データを該画像データ記憶領域に記憶しておくので、データをバックアップしたり、ディスク等にデータを書き込むのに使用することが可能となる。
【００５９】
また、第２８には、デジタルカメラで撮影して得た写真画像を印刷する写真画像印刷装置であって、デジタルカメラ用の記録媒体に記録された写真画像のデータを読み出す読出し装置と、通信回線を介して送信された写真画像のデータを受信する受信装置と、画像データを表示する表示装置と、操作者により入力を行うための入力装置と、該読出し装置により読み出された写真画像のデータを印刷する印刷装置と、任意のデータを記憶する記憶装置であって、上記印刷装置により印刷した写真画像のデータである印刷写真画像データを記憶する画像データ記憶領域と、該受信装置により受信された写真画像のデータを記憶する受信データ記憶領域とを有する記憶装置と、該受信装置により写真画像のデータが受信された場合には、該受信データ記憶領域に該写真画像のデータを記憶し、また、該読出し装置により読み出された写真画像のデータを該表示装置に表示させ、また、該受信データ記憶領域に記憶された写真画像のデータを該表示装置に表示させ、また、該表示装置に表示された写真画像の中から印刷対象の写真画像が該入力装置により選択された場合に、該選択された写真画像のデータを印刷するように印刷装置を制御し、さらに、該画像データ領域への記憶を行わない場合を除き、印刷を行った写真画像のデータである印刷写真画像データを該画像データ記憶領域に記憶する制御装置と、を有することを特徴とする。
【００６０】
この第２８の構成の写真画像印刷装置においては、受信装置により受信された写真画像のデータは、受信データ記憶領域に記憶され、また、該読出し装置によりデジタルカメラ用の記録媒体に記録された写真画像のデータを読み出して、読み出された写真画像のデータを該表示装置に表示させ、また、受信装置により受信された写真画像のデータも該表示装置に表示させる。そして、該表示装置に表示された写真画像の中から印刷対象の写真画像が該入力装置により選択された場合に、該選択された写真画像のデータを該印刷装置により印刷するとともに、印刷を行った写真画像のデータである印刷写真画像データを、該画像データ領域への記憶を行わない場合を除き、該画像データ記憶領域に記憶しておく。よって、本発明の写真画像印刷装置によれば、デジタルカメラで撮った写真画像をその場で印刷することができるので、写真画像印刷装置をパーティ会場等で使用した場合に、写真画像を被写体となった者に後で郵送等で渡す必要がなく、また、撮影して得た写真画像をその場で見ることができるので、写真画像を介してパーティの雰囲気を盛り上げることが可能となる。また、写真画像の選択に際して、印刷枚数を入力装置により指定できるようにすることにより、１回の撮影で複数枚印刷することができる。また、外部から通信回線を介して送られた写真画像を表示、印刷できるので、パーティに出席できない者からも写真画像を受信することができ、よりパーティの雰囲気を盛り上げることが可能となる。また、印刷を行った写真画像のデータである印刷写真画像データを該画像データ記憶領域に記憶しておくので、データをバックアップしたり、ディスク等にデータを書き込むのに使用することが可能となる。
【００６１】
また、第２９には、デジタルカメラで撮影して得た写真画像を印刷する写真画像印刷装置であって、デジタルカメラ用の記録媒体に記録された写真画像のデータを読み出す読出し装置と、通信回線を介して送信された写真画像のデータを受信する受信装置と、画像データを表示する表示装置と、操作者により入力を行うための入力装置と、該読出し装置により読み出された写真画像のデータを印刷する印刷装置と、任意のデータを記憶する記憶装置であって、上記印刷装置により印刷した写真画像のデータである印刷写真画像データを記憶する画像データ記憶領域と、該受信装置により受信された写真画像のデータを記憶する受信データ記憶領域とを有する記憶装置と、該受信装置により写真画像のデータが受信された場合には、該受信データ記憶領域に該写真画像のデータを記憶し、該記憶された写真画像のデータを印刷するように該印刷装置を制御し、また、該読出し装置により写真画像のデータが読み出された場合には、該写真画像のデータを該表示装置に表示させ、また、該表示装置に表示された写真画像の中から印刷対象の写真画像が該入力装置により選択された場合に、該選択された写真画像のデータを印刷するように印刷装置を制御し、さらに、該画像データ領域への記憶を行わない場合を除き、印刷を行った写真画像のデータである印刷写真画像データを該画像データ記憶領域に記憶する制御装置と、を有することを特徴とする。
【００６２】
この第２９の構成においては、該受信装置により写真画像のデータが受信された場合には、該受信データ記憶領域に該写真画像のデータが記憶され、該記憶された写真画像のデータが該印刷装置により印刷される。また、該読出し装置により写真画像のデータが読み出された場合には、該写真画像のデータが該表示装置に表示され、また、該表示装置に表示された写真画像の中から印刷対象の写真画像が該入力装置により選択された場合に、該選択された写真画像のデータが印刷装置により印刷される。また、該画像データ領域への記憶を行わない場合を除き、印刷を行った写真画像のデータである印刷写真画像データが該画像データ記憶領域に記憶される。よって、この第２９の構成の写真画像印刷装置によれば、デジタルカメラで撮った写真画像をその場で印刷することができるので、写真画像印刷装置をパーティ会場等で使用した場合に、写真画像を被写体となった者に後で郵送等で渡す必要がなく、また、撮影して得た写真画像をその場で見ることができるので、写真画像を介してパーティの雰囲気を盛り上げることが可能となる。また、写真画像の選択に際して、印刷枚数を入力装置により指定できるようにすることにより、１回の撮影で複数枚印刷することができる。また、外部から通信回線を介して送られた写真画像を表示、印刷できるので、パーティに出席できない者からも写真画像を受信することができ、よりパーティの雰囲気を盛り上げることが可能となる。また、印刷を行った写真画像のデータである印刷写真画像データを該画像データ記憶領域に記憶しておくので、データをバックアップしたり、ディスク等にデータを書き込むのに使用することが可能となる。
【００６３】
また、第３０には、デジタルカメラで撮影して得た写真画像を印刷する写真画像印刷装置であって、デジタルカメラ用の記録媒体に記録された写真画像のデータを読み出す読出し装置と、通信回線を介して送信された写真画像のデータを受信する受信装置と、画像データを表示する表示装置と、操作者により入力を行うための入力装置と、該読出し装置により読み出された写真画像のデータを印刷する印刷装置と、任意のデータを記憶する記憶装置であって、上記印刷装置により印刷した写真画像のデータである印刷写真画像データを記憶する画像データ記憶領域と、該受信装置により受信された写真画像のデータを記憶する受信データ記憶領域とを有する記憶装置と、該受信装置により写真画像のデータが受信された場合には、該受信データ記憶領域に該写真画像のデータを記憶し、切換え可能な第１動作モードと第２動作モードとを有し、該第１動作モードにおいては、該記憶された写真画像のデータを印刷するように該印刷装置を制御し、該第２動作モードにおいては、該記憶された写真画像データを表示装置に表示させ、該表示装置に表示された写真画像の中から印刷対象の写真画像が該入力装置により選択された場合に、該選択された写真画像のデータを印刷するように印刷装置を制御し、一方、該読出し装置により写真画像のデータが読み出された場合には、該写真画像のデータを該表示装置に表示させ、また、該表示装置に表示された写真画像の中から印刷対象の写真画像が該入力装置により選択された場合に、該選択された写真画像のデータを印刷するように印刷装置を制御し、さらに、該画像データ領域への記憶を行わない場合を除き、印刷を行った写真画像のデータである印刷写真画像データを該画像データ記憶領域に記憶する制御装置と、を有することを特徴とする。
【００６４】
この第３０の構成においては、該受信装置により写真画像のデータが受信された場合には、該受信データ記憶領域に該写真画像のデータが記憶され、切換え可能な第１動作モードと第２動作モードにおける該第１動作モードにおいては、該記憶された写真画像のデータが印刷装置により印刷され、一方、該第２動作モードにおいては、該記憶された写真画像データが表示装置に表示され、該表示装置に表示された写真画像の中から印刷対象の写真画像が該入力装置により選択された場合に、該選択された写真画像のデータが印刷装置により印刷される。一方、該読出し装置により写真画像のデータが読み出された場合には、該写真画像のデータが該表示装置に表示され、また、該表示装置に表示された写真画像の中から印刷対象の写真画像が該入力装置により選択された場合に、該選択された写真画像のデータが印刷装置により印刷される。さらに、該画像データ領域への記憶を行わない場合を除き、印刷を行った写真画像のデータである印刷写真画像データが該画像データ記憶領域に記憶される。よって、この第３０の構成の写真画像印刷装置によれば、デジタルカメラで撮った写真画像をその場で印刷することができるので、写真画像印刷装置をパーティ会場等で使用した場合に、写真画像を被写体となった者に後で郵送等で渡す必要がなく、また、撮影して得た写真画像をその場で見ることができるので、写真画像を介してパーティの雰囲気を盛り上げることが可能となる。また、写真画像の選択に際して、印刷枚数を入力装置により指定できるようにすることにより、１回の撮影で複数枚印刷することができる。また、外部から通信回線を介して送られた写真画像を表示、印刷できるので、パーティに出席できない者からも写真画像を受信することができ、よりパーティの雰囲気を盛り上げることが可能となる。特に、上記の２つのモードが設けられているので、パーティ等における状況に応じてモードを使い分けることができる。また、印刷を行った写真画像のデータである印刷写真画像データを該画像データ記憶領域に記憶しておくので、データをバックアップしたり、ディスク等にデータを書き込むのに使用することが可能となる。
【００６５】
なお、上記第２７から第３０の構成において、「画像データ領域への記憶を行わない場合」としては、画像データ記憶領域にすでに同一の写真画像データが記憶されていると判定される場合が挙げられる。
【００６６】
また、第３１には、上記第２８から第３０までのいずれかの構成において、上記受信装置は、電子メールを受信する機能を有し、写真画像のデータを電子メールに添付されたデータとして受信することを特徴とする。
【００６７】
また、第３２には、上記第２８から第３１までのいずれかの構成において、上記受信装置により受信された電子メールにテキストデータが含まれている場合に、上記制御装置は、電子メールに添付された写真画像のデータを該テキストデータとともに上記受信データ記憶領域に記憶し、該受信データ記憶領域に記憶された写真画像のデータを該表示装置に表示させる場合には、該制御装置は、該写真画像のデータを該テキストデータとともに表示し、該表示装置に表示された写真画像のデータを印刷する場合には、該写真画像のデータを該テキストデータとともに印刷することを特徴とする。
【００６８】
よって、写真画像のデータが添付された電子メールを受信した場合に、該写真画像のデータを該テキストデータとともに表示し、さらに、印刷できるので、電子メールの送信者のメッセージとともに写真画像を表示、印刷することができる。
【００６９】
また、第３３には、上記第３２の構成において、印刷を行った写真画像のデータである印刷写真画像データを上記画像データ記憶領域に記憶する場合には、該印刷写真画像データとともに該テキストデータ又は該テキストデータの内容に対応したデータについても記憶することを特徴とする。
【００７０】
また、第３４には、上記第２７から第３３までのいずれかの構成において、写真画像印刷装置が、さらに、データ書込み用の記録媒体に所定のデータを書き込む書込み装置を有し、上記制御装置は、該入力装置から所定の書込み指示操作があった場合に、上記画像データ記憶領域に記憶されているデータを該記録媒体に書き込むように該書込み装置を制御することを特徴とする。
【００７１】
よって、印刷した写真画像のデータを記録媒体に保存しておくことができるので、結婚披露宴等のパーティにおいて使用した場合に、該写真画像のデータを記録した記録媒体を記念として取っておくことができるとともに、記録媒体に記録されたデータを挨拶状等に活用することが可能となる。
【００７２】
また、第３５には、上記第３４の構成において、上記制御装置は、上記データ書込み用の記録媒体に書き込まれた印刷写真画像データを閲覧するための閲覧用プログラムが予め記憶された記録媒体に印刷写真画像データを書き込むように、上記書込み装置を制御することを特徴とする。
【００７３】
また、第３６には、上記第３４又は第３５の構成において、上記画像データ記憶領域に記憶された印刷写真画像データには、撮影日時のデータが付加されていて、上記制御装置は、上記記録媒体にデータを書き込む場合に、撮影日時に従った順番で該記録媒体にデータを書き込むことを特徴とする。よって、閲覧用プログラムによって写真画像を閲覧する場合に、時間順に閲覧をすることが可能となる。
【００７４】
また、第３７には、上記第２７から第３６までのいずれかの構成において、上記記憶装置には、上記印刷写真画像データのファイル名であって、記録媒体に記録された写真画像に付与されていたファイル名である元ファイル名を記憶するための元ファイル名記憶領域とが設けられていて、上記制御装置は、該画像データ記憶領域に記憶させるか否かの判定の対象となる印刷写真画像データである対象印刷写真画像データの元ファイル名と同一の元ファイル名が該元ファイル名記憶領域に記憶されているか否かを判定する第１判定工程と、該第１判定工程において、同一の元ファイル名が該元ファイル名記憶領域に記憶されている場合には、画像データ記憶領域に記憶されている印刷写真画像データであってその元ファイル名に対応する印刷写真画像データと、該対象印刷写真画像データとにおいて、撮影日時のデータと写真画像のデータサイズのデータとが同じであるか否かを判定する第２判定工程と、該第１判定工程において、同一の元ファイル名が該元ファイル名記憶領域に記憶されていない場合及び該第２判定工程において、元ファイル名に対応する印刷写真画像データと対象印刷写真画像データとで、撮影日時のデータと写真画像のデータサイズのデータとがともに同じでない場合には、該印刷写真画像データを、そのファイル名を変更するとともに、該印刷写真画像データに付与されていた撮影日時のデータと写真画像のデータサイズのデータを付与して該画像データ記憶領域に記憶するとともに、元ファイル名を該画像データ記憶領域に記憶した印刷写真画像データと関連づけて元ファイル名記憶領域に記憶する記憶工程と、を実行し、該第２判定工程において、元ファイル名に対応する印刷写真画像データと対象印刷写真画像データとで、撮影日時のデータと写真画像のデータサイズのデータとがともに同じである場合には、すでに画像データ記憶領域に記憶されている印刷写真画像データと同一のデータであると判定して対象印刷写真画像データを画像データ記憶領域に記憶しないことを特徴とする。
【００７５】
この第３７の構成によれば、すでに画像データ記憶領域に記憶されている写真画像のデータと、ファイル名と撮影日時とデータサイズの全てが同一の写真画像を画像データ記憶領域に記憶しないので、同一の写真画像を重複して記憶するおそれがない。また、ファイル名を変更するので、画像データ記憶領域に記憶された写真画像データのファイル名が同一のファイル名とならないようにすることができる。なお、変更後のファイル名は、画像データ記憶領域に記憶された順序に従い順序付けられたファイル名であることが好ましい。
【００７６】
また、第３８には、上記第２６から第３７までのいずれかの構成において、上記制御装置は、操作者が上記入力装置により焼き増し印刷を行うための所定の操作を行った場合には、上記画像データ記憶領域に記憶された印刷写真画像データを上記表示装置に表示させ、該表示装置に表示された写真画像の中から印刷対象の写真画像が該入力装置により選択された場合には、該選択された写真画像のデータを印刷するように印刷装置を制御することを特徴とする。
【００７７】
よって、この焼き増し機能によれば、ある写真画像を印刷した後に、その写真を入手したい場合には、その写真画像のデータが記録されている記録媒体を読出し装置により読み出すことなく容易に入手することが可能となる。なお、該焼き増し印刷を行なうための所定の操作を行って写真画像のデータを印刷した場合には、写真画像については印刷写真画像データの上記画像データ記憶領域への記憶を中止することとするのが好ましい。つまり、この場合の印刷写真画像データは画像データ記憶領域にすでに記憶されているので、再度記憶させる必要はない。
【００７８】
また、第３９には、上記第２６から第３８までのいずれかの構成において、上記記憶装置には、バックアップを行うためのバックアップ用データ記憶領域が設けられていて、上記制御装置は、写真画像印刷装置の起動後において所定の操作が上記入力装置によりあった場合には、上記画像データ記憶領域内のデータをクリアするともに、バックアップ用データ記憶領域内に新たな記憶領域である個別記憶領域を作成し、写真画像を印刷することにより、印刷写真画像データを上記記憶装置に記憶する場合には、該印刷写真画像データを該画像データ記憶領域に記憶するとともに、該印刷写真画像データを該バックアップ用データ記憶領域における該個別記憶領域に記憶することを特徴とする。よって、写真画像データのバックアップを行うことができる。
【００７９】
また、第４０には、上記第２６から第３９までのいずれかの構成において、上記写真画像印刷装置が、さらに、デジタルカメラを載置するとともにデジタルカメラに記録された写真画像のデータを読み出すためのトレー状の読出し装置であるドックを有し、上記制御装置は、該ドックにより読み出された写真画像のデータを該表示装置に表示させるとともに、該表示装置に表示された写真画像の中から印刷対象の写真画像が該入力装置により選択された場合に、該選択された写真画像のデータを印刷するように印刷装置を制御することを特徴とする。
【００８０】
よって、ドックにデジタルカメラを用意しておけば、パーティの出席者等がデジタルカメラを持参していなくても、該デジタルカメラを利用して撮影し、その場で印刷することが可能となる。
【００８１】
また、第４１には、上記第２６から第４０までのいずれかの構成において、上記制御装置は、上記表示装置に、選択可能な記録媒体を表示する記録媒体選択用画面であって、メモリカードの種類を記録媒体の外観を示す表示部によりそれぞれ表示し、各表示部が操作用ボタンとなっている記録媒体選択用画面を表示し、操作者が、いずれかの表示部を選択することにより記録媒体の種類を選択することができることを特徴とする。
【００８２】
よって、メモリカードの種類が記録媒体の外観を示す表示部によりそれぞれ表示されるので、記録媒体の種類の特定が容易となり、また、各表示部が操作用ボタンとなっているので、使用している記録媒体を示す表示部をそのまま操作すればよく、使い勝手をよくすることが可能となる。
【００８３】
また、第４２には、上記第２６から第４１までのいずれかの構成において、上記写真画像印刷装置が、写真画像印刷装置を移動させるための移動機構部を有することを特徴とする。よって、写真画像印刷装置を容易に移動させることができ、パーティ会場等にも容易に搬入することが可能となる。
【００８４】
また、第４３には、上記第２６から第４２までのいずれかの構成において、写真画像印刷装置が、さらに、電子メールを送信する送信装置を有することを特徴とする。これにより、電子メールにより写真画像を送信してきた者に対して電子メールを返信してパーティの様子を撮影した写真を添付して送信したり、パーティに出席できなかった者に対して電子メールを送信したりすることが可能となる。
【００８５】
なお、上記第２６から第４３までのいずれかの構成において、請求項１７の内容を有するものとしてもよく、又は、請求項１９の内容を有するものとしてもよく、又は、請求項２０の内容を有するものとしてもよい。
【００８６】
また、第４４には、１又は複数の写真画像データを閲覧するためのプログラムである写真画像閲覧用プログラムであって、上記写真画像データを一覧表示する処理と、一覧表示された写真画像データの中から操作者により指定された写真画像データを拡大表示する処理と、一覧表示された写真画像データの中から操作者により指定された写真画像データを印刷する処理と、複数の写真画像データの中から所定の写真画像データを操作者に選択させるとともに、複数のポストカード作成用のフレームを表示して操作者に所定のフレームを選択させることによりポストカードの設計を行うとともに、所定のＷｅｂサイトにインターネットを介して接続することにより、設計したポストカードの注文を可能とする処理と、を行なうことを特徴とする。
【００８７】
この写真画像閲覧用プログラムによれば、上記各種処理を行うことができるので、ユーザにとって便利となる。特に、ユーザは、写真のアルバムの代わりとして使用することができる。なお、上記写真画像閲覧用プログラムを格納した記録媒体としてもよい。
【００８８】
また、第４５には、デジタルカメラで撮影して得た写真画像を印刷する写真画像印刷装置で、デジタルカメラ用の記録媒体に記録された写真画像のデータを読み出す読出し装置と、画像データを表示する表示装置と、操作者により入力を行うための入力装置と、該読出し装置により読み出された写真画像のデータを印刷する印刷装置と、該読出し装置により読み出された写真画像のデータを該表示装置に表示させるとともに、該表示装置に表示された写真画像の中から印刷対象の写真画像が該入力装置により選択された場合に、該選択された写真画像のデータを印刷するように印刷装置を制御する制御装置と、を有する写真画像印刷装置による写真画像の提供方法であって、該制御装置が、該表示装置に、選択可能な記録媒体を表示する記録媒体選択用画面であって、メモリカードの種類を記録媒体の外観を示す表示部によりそれぞれ表示し、各表示部が操作用ボタンとなっている記録媒体選択用画面を表示する第１表示工程と、該記録媒体選択用画面が表示されている状態において、該入力装置によりいずれかの表示部を選択する操作があり、さらに、記録媒体が読出し装置に挿入された場合に、該制御装置が、該表示装置に、写真画像表示・印刷指定画面であって、読み出した写真画像のデータを表示するとともに、印刷する写真画像を選択し、印刷枚数を指定するための写真画像表示・印刷指定画面を表示する第２表示工程と、該写真画像表示・印刷指定画面が表示されている状態において、該入力装置により印刷する写真画像と印刷枚数が指定する操作があった場合に、印刷装置により印刷を行う工程と、を有することを特徴とする。
【００８９】
この第４５の構成の写真画像印刷装置においては、上記第１表示工程や第２表示工程が設けられているので、操作者にとって使い勝手をよくすることができる。特に、上記第１表示工程が設けられていて、メモリカードの種類を記録媒体の外観を示す表示部によりそれぞれ表示しているので、読込みを行う記録媒体の種類を容易に特定することができる。
【００９０】
また、第４６には、上記第４５の構成において、上記読出し装置には、記録媒体を挿入する複数の挿入口で、記録媒体の種類に応じて設けられた挿入口が設けられ、上記写真画像印刷装置による写真画像の提供方法が、さらに、上記第１表示工程と第２表示工程の間に設けられた表示工程であって、上記記録媒体選択用画面においていずれかの表示部が選択する操作があった場合に、挿入口指示画面であって、選択された表示部に応じた記録媒体を挿入すべき挿入口を指示する挿入口指示画面を表示する表示工程を有することを特徴とする。
【００９１】
よって、操作者に対して、記録媒体を挿入すべき挿入口をわかりやすくすることができ、操作者にとって使い勝手をよくすることができる。
【００９２】
また、第４７には、パーティにおけるサービスの提供方法であって、デジタルカメラで撮影して得た写真画像を印刷する写真画像印刷装置をパーティ会場内に搬入して設置することにより、パーティの出席者がデジタルカメラで撮影して得た写真画像をパーティ会場において印刷できるようにしたことを特徴とする。
【００９３】
よって、デジタルカメラで撮った写真画像をその場で印刷することができるので、写真画像を被写体となった者に後で郵送等で渡す必要がなく、また、撮影して得た写真画像をその場で見ることができるので、写真画像を介してパーティの雰囲気を盛り上げることが可能となる。
【００９４】
また、第４８には、パーティにおけるサービスの提供方法であって、デジタルカメラで撮影して得た写真画像を印刷する写真画像印刷装置であって、上記第１から第２０までのいずれかの構成の写真画像印刷装置をパーティ会場内に搬入して設置することにより、パーティの出席者がデジタルカメラで撮影して得た写真画像をパーティ会場において印刷できるようにしたことを特徴とする。
【００９５】
よって、デジタルカメラで撮った写真画像をその場で印刷することができるので、写真画像を被写体となった者に後で郵送等で渡す必要がなく、また、撮影して得た写真画像をその場で見ることができるので、写真画像を介してパーティの雰囲気を盛り上げることが可能となる。
【００９６】
また、第４９には、パーティにおけるサービスの提供方法であって、デジタルカメラで撮影して得た写真画像を印刷する写真画像印刷装置であって、上記第２１から第４３までのいずれかの構成の記載の写真画像印刷装置をパーティ会場内に搬入して設置することにより、パーティの出席者がデジタルカメラで撮影して得た写真画像をパーティ会場において印刷できるようにしたことを特徴とする。
【００９７】
また、第５０には、パーティにおけるサービスの提供方法であって、デジタルカメラで撮影して得た写真画像を印刷する写真画像印刷装置であって、デジタルカメラ用の記録媒体に記録された写真画像のデータを読み出す読出し装置と、画像データを表示する表示装置と、操作者により入力を行うための入力装置と、該読出し装置により読み出された写真画像のデータを印刷する印刷装置と、所定のデータを記憶する記憶装置と、記録媒体に所定のデータを書き込む書込み装置と、該読出し装置により読み出された写真画像のデータを該表示装置に表示させるとともに、該表示装置に表示された写真画像の中から印刷対象の写真画像が該入力装置により選択された場合に、該選択された写真画像のデータを印刷するように印刷装置を制御し、さらに、印刷を行った写真画像のデータである印刷写真画像データを該記憶装置に記憶しておくとともに、該入力装置から所定の書込み指示操作があった場合に、該記憶装置に記憶されている該印刷写真画像データを記録媒体に書き込むように該書込み装置を制御する制御装置と、を有する写真画像印刷装置をパーティ会場内に搬入して設置する工程と、所定の操作を行うことにより、該書込み装置にセットされている記録媒体に該印刷写真画像データを書き込む工程と、を有することを特徴とする。
【００９８】
よって、デジタルカメラで撮った写真画像をその場で印刷することができるので、写真画像を被写体となった者に後で郵送等で渡す必要がなく、また、撮影して得た写真画像をその場で見ることができるので、写真画像を介してパーティの雰囲気を盛り上げることが可能となる。また、印刷した写真画像のデータを記録媒体に保存しておくことができるので、結婚披露宴等のパーティにおいて使用した場合に、該写真画像のデータを記録した記録媒体を記念として取っておくことができるとともに、記録媒体に記録されたデータを挨拶状等に活用することが可能となる。
【００９９】
また、第５１には、上記第５０の構成において、上記該書込み装置にセットされている記録媒体に該印刷写真画像データを書き込む工程においては、撮影者の異なる印刷写真画像データであっても同一の記録媒体に書き込みが行われることを特徴とする。
【０１００】
【発明の実施の形態】
本発明の実施の形態としての実施例を図面を利用して説明する。本発明に基づく写真画像印刷装置Ａは、図１〜図３に示されるように、装置本体部１０と、カメラドック３５と、収納部４０と、移動機構部５０とを有している。
【０１０１】
装置本体部１０は、図１、図５等に示すように、入力機能付き表示部１２と、メモリーカードドライブ（読出し装置、読出し手段）２０と、ディスクドライブ（書込み装置、書込み手段）２２と、プリンタ（印刷装置、印刷手段）２４と、ＣＰＵ（制御装置）２６と、記憶部（記憶装置）３０とを有している。
【０１０２】
上記入力機能付き表示部１２は、装置本体部１０の前面側に設けられ、表示部（表示装置、表示手段）１４と入力部（入力装置、入力手段）１６とを有していて、入力部１６を表示部１４上に張り付ける形で実装されている。表示部１４は、具体的には、ＬＣＤ（液晶ディスプレイ）であり、また、入力部１６は、具体的には、デジタイザ（より具体的には、タッチパネル）である。つまり、表示部１４に表示されたアイコン等をタッチ操作することにより、入力操作ができるようになっている。この入力機能付き表示部１２は、ＬＣＤとタッチパネルにより構成されているので、図４に示すように全体に薄型に形成されている。
【０１０３】
また、メモリーカードドライブ２０は、各種メモリーカードを差し込んで該メモリーカードに記憶されたデータを読み出すことができるようになっている。各種メモリドライブとしては、コンパクトフラッシュ（登録商標）、スマートメディア、メモリースティック、ＳＤカード、ＰＣカードが挙げられ、このメモリーカードドライブ２０には、これらのメモリーカードを差し込むことができるようになっている。つまり、メモリーカードドライブ２０には、複数の挿入口が設けられている。つまり、メモリーカードの種類に応じて、複数の挿入口が設けられている。なお、上記各種のメモリーカードは、上記「デジタルカメラ用の記録媒体」に当たる。
【０１０４】
また、ディスクドライブ２２は、ディスク（特に、コンパクトディスク）にデータを書き込むとともに、ディスクに記憶されたデータを読み出すための装置である。
【０１０５】
プリンタ２４は、写真画像用の用紙に写真画像のデータを印刷する装置であり、図４に示すように、ロール状の該用紙を支持する用紙支持部２４ａや、印刷用のリボンＱを支持するリボン支持部２４ｂや、写真画像のデータに従い用紙にリボンに担持されたインクを転写する転写部と、用紙やリボンを搬送する搬送部と、印刷された用紙を切断する切断部等を有している。また、プリンタ２４の右側面側には、印刷した写真画像を排出するための排出口２４ｃが設けられていて、この排出口２４ｃには、トレー２５を設置することができるようになっている（図３参照）。
【０１０６】
このプリンタ２４の上部の蓋体２４ｄを開けると、その内部は図４に示すように構成されていて、上記用紙支持部２４ａやリボン支持部２４ｂは、図４に示すように設けられている。つまり、用紙Ｐ及びリボンＱは、装置本体部１０の正面に対して直角の方向に搬送されるように構成されていて、印刷された写真画像の排出口２４ｃも装置本体部１０の側方に設けられていて、印刷された写真画像は、装置本体部１０の側方から排出されるようになっている。
【０１０７】
また、ＣＰＵ２６は、装置本体部１０における各部の動作を制御する装置であり、特に、記憶部３０に記憶されたプログラムに従い、各部の動作を制御する。
【０１０８】
また、記憶部３０は記憶装置であり、図６に示すように、プログラム格納部３２と、データ格納部３４とが設けられている。このプログラム格納部３２には、装置本体部１０を動作させるための各種プログラムが記憶されている。この各種プログラムとしては、図６（ｂ）に示すように、画面表示プログラム３２ａや、データ読出しプログラム３２ｂや、印刷プログラム３２ｃや、ディスク書込みプログラム３２ｄ等が挙げられる。この画面表示プログラム３２ａは、表示部１４に画像データを表示するためのプログラムである。データ読出しプログラム３２ｂは、メモリーカードドライブ２０に挿通されたメモリーカードからデータを読み出すためのプログラムである。また、印刷プログラム３２ｃは、操作者から印刷指示のあった写真画像について印刷を行うためのプログラムである。また、ディスク書込みプログラム３２ｄは、所定のデータ、特に、閲覧ソフト（閲覧用プログラム）のデータをディスクに書き込むためのプログラムである。
【０１０９】
また、データ格納部３４には、各種データを格納するためのものであり、メモリーカードから読み出した写真画像のデータを一時格納したり、写真画像の印刷を行った場合に、ディスクに書き込むためのフォルダをこのデータ格納部３４内に作成し、該フォルダに印刷した写真画像のデータを記録していく。また、このデータ格納部３４には、ディスクに書き込む閲覧用プログラム（写真画像閲覧用プログラム）のデータも予め記録されている。
【０１１０】
この閲覧用プログラムは、パーティ会場でメモリーカードを差し込んで印刷した写真画像のデータをディスクに記録し、その記録された写真画像のデータを閲覧することができるようにするためのプログラムであり、写真画像のデータが記録されるディスクにこの閲覧用プログラムのデータも記録される。
【０１１１】
閲覧用プログラムの構成について説明すると、閲覧用プログラム４００には、メニュー表示プログラム４００ａと、スライドショー用プログラム４００ｂと、印刷用プログラム４００ｃと、焼増依頼書作成プログラム４００ｄと、写真画像設定プログラム４００ｅと、ポストカード注文用プログラム４００ｆと、写真画像データ複写プログラム４００ｇが格納されている。ここで、メニュー表示プログラム４００ａは、メニュー画面（後述）を表示するためのプログラムである。また、スライドショー用プログラム４００ｂは、後述するスライドショーを行うためのプログラムである。また、印刷用プログラム４００ｃは、写真画像を印刷するためのプログラムである。また、焼増依頼書作成プログラム４００ｄは、焼増依頼書を作成するためのプログラムである。また、写真画像設定プログラム４００ｅは、表示される写真画像の設定を行うためのプログラムであり、特に、表示される写真画像に額を設けた設定にするか否かや、表示される写真画像の向きを調整するのに用いられる。また、ポストカード注文用プログラム４００ｆは、写真画像をあしらったポストカードを注文するためのプログラムである。また、写真画像データ複写プログラム４００ｇは、写真画像のデータを記録媒体に複写するためのプログラムである。
【０１１２】
なお、上記メモリーカードドライブ２０や、ディスクドライブ２２や、ＣＰＵ２６や、記憶部３０は、装置本体部１０の下部を構成する本体ケース部１１内に設けられている。つまり、装置本体１０の全体の構造としては、本体ケース部１１の上側の手前側に入力機能付き表示部１２が設けられ、さらに、本体ケース部１１の上側の入力機能付き表示部１２の背面側に、プリンタ２４が設けられている。そして、上記装置本体部１０を構成する各部の配置は、上記のようになっているので、装置本体部１０は全体で筐体状を呈している。つまり、装置本体部１０を構成する各部は全体で一体にユニット化されていて、略直方体状に構成されている。
【０１１３】
また、カメラドック３５は、デジタルカメラを載置できるようになっていて、載置されたデジタルカメラに記憶されたデータを読み出すための装置である。つまり、デジタルカメラを載置することにより、デジタルカメラに設けられた端子とカメラドック３５に設けられた端子とが接する状態となり、デジタルカメラ内に記憶されたデータを読み出すことができるようになっている。なお、写真画像印刷装置Ａの使用時には、上記カメラドック３５は、カバー部４４の平面部４４ａに載置され、装置本体部１０とケーブルを介して接続される。
【０１１４】
なお、装置本体部１０は、上記のように構成されているので、全体として非常に小型に形成されている。つまり、本体ケース部１１の上側の手前側に入力機能付き表示部１２が設けられ、さらに、本体ケース部１１の上側の入力機能付き表示部１２の背面側に、プリンタ２４が設けられているので、全体として筐状にまとまった形状をなし、特に、プリンタ２４において、用紙やリボンの搬送方向が正面方向とは直角の方向（つまり、Ｘ２−Ｘ１方向）であるので、プリンタ２４の配置される空間を本体ケース部１１の上方の空間で入力機能付き表示部１２の占める空間以外の空間を効率的に活用している。つまり、上記搬送方向が正面方向と平行な方向、例えば、Ｙ２−Ｙ１方向である場合には、プリンタの占める空間が装置の前後方向（つまり、Ｙ２−Ｙ１方向）に長くなってしまい、装置本体部１０を全体としてコンパクトにまとめることができないが、上記のように搬送方向を左右方向にすることによって、装置本体部１０を全体として小型化することに成功しているのである。つまり、入力機能付き表示部１２は横長に形成されていることから入力機能付き表示部１２の背面側のスペースも横長となるので、プリンタ２４も横長の形状とすることにより、該スペースを有効活用したものである。
【０１１５】
次に、収納部４０は、上記装置本体部１０を収納するための部材であり、台座部４２と、カバー部４４とを有している。台座部４２は、装置本体部１０を載置することができる平面部を有している。また、カバー部４４は、装置本体部１０をカバーする部材であり、平面部４４ａと、正面部４４ｂと、左側面部４４ｃと、右側面部４４ｄと、背面部４４ｅとを有していて、正面部４４ｂには、開口部４４ｂ−１が設けられている。この開口部４４ｂ−１により、表示部１４に表示された画像を視認することができるとともに、メモリーカードをメモリーカードドライブ２０に挿脱したり、ディスクをディスクドライブ２２に挿脱したりすることができるようになっている。また、カバー部４４の右側面部４４ｄにも開口部４４ｄ−１が設けられていて、印刷された写真画像を支持するトレーを装置本体部１０に設置できるようになっている。また、右側面部４４ｄには、電源コードを接続できるようにするために、開口部４４ｄ−２も設けられている。
【０１１６】
また、移動機構部５０は、車輪５２と、支持部５４と、把手部５６とを有している。ここで、車輪５２は、複数（具体的には、計４つ）設けられていて、支持部５４に回転自在に取り付けされている。また、支持部５４は、該車輪５２を回転可能に支持するとともに、その上部には、収納部４０を支持している。つまり、支持部５４は、フレーム状を呈し、車輪５２の車軸を支持するための軸受けが設けられ、また、収納部４０における台座部４２が支持部５４の上部に取り付けられている。また、把手部５６は、写真画像印刷装置Ａを移動させるための把手部であり、該支持部５４から斜め上方に伸びた形状を呈している。
【０１１７】
上記構成の写真画像印刷装置Ａの使用状態及び動作について説明する。写真画像印刷装置Ａは、結婚披露宴等のパーティ会場に設置する。つまり、本実施例の写真画像印刷装置Ａは、パーティ会場に設置することにより、パーティにおける新たなサービスを提供することが可能となる。
【０１１８】
設置に際しては、写真画像印刷装置Ａを設置する業者は、初期設定を行っておく。つまり、所定の操作により、図７に示すような設定用画面Ｇ１を表示させる。この設定用画面Ｇ１は、「名前設定」と「ディスク書込み」と「終了」の各メニューが設けられている。「名前設定」を選択すると、文字入力用画面が表示され、この文字入力用画面により、欧文字や、数字や、各種記号が入力できるようになっている。この文字入力用画面において入力された文字が印刷される写真画像に上書き表示内容として表示されることになる。業者は、初期設定に際して、設定用画面Ｇ１においてこの「名前設定」を選択して、文字を入力する。入力する文字としては、例えば、結婚披露宴の場合には、日付と当事者２名の名前を入力することが考えられる。入力が完了したら、設定用画面Ｇ１に戻るので、「終了」を選択して、スタート画面に移行する。なお、この設定用画面Ｇ１は、設定用画面Ｇ１を表示するためのパスワードを設定したり、又は、設定用画面Ｇ１を表示するための特殊な操作を設定しておくこと等により、業者のみが表示させることができるものとし、パーティの参列者等一般者が表示できないようにしておく。
【０１１９】
以上のようにして、パーティ会場への設置が完了したら、後は、パーティの参列者が各自写真画像印刷装置Ａを操作して使用する。なお、写真画像印刷装置Ａを会場に設置する際には、カメラドック３５にデジタルカメラを載置してセットしておくことが好ましい。そうすれば、デジタルカメラを持参しなかった参加者もこのカメラドックにセットされたデジタルカメラを使用することが可能となる。
【０１２０】
つまり、パーティ会場に設置されている際には、初期状態では、スタート画面（図示せず）が表示部１４に表示されているので、スタート画面における所定の領域、つまり、スタート画面において指示された所定の領域を押圧操作する。
【０１２１】
すると、カード種類選択画面Ｇ２（記録媒体選択用画面）（図８参照）が表示部１４に表示される（第１表示工程）。このカード種類選択画面Ｇ２は、選択できるカードの種類を表示する各アイコンが表示されている。つまり、コンパクトフラッシュ（登録商標）を選択可能なアイコン１００と、スマートメディアを選択可能なアイコン１０２と、メモリースティックを選択可能なアイコン１０４と、ＳＤカードを選択可能なアイコン１０６と、ＰＣカードを選択可能なアイコン１０８と、カメラドックを選択可能なアイコン１１０が表示されていて、データの読出しを行うメモリーカードの種類を選択できるようになっている。このカード種類選択画面Ｇ２において、読出しを行うメモリーカードを選択する。つまり、該当するアイコンを押圧操作する。
【０１２２】
例えば、パーティの参加者が持参のデジタルカメラで撮影を行った場合には、該カード種類選択画面Ｇ２において、そのデジタルカメラに装着されているメモリーカードを選択すればよい。また、カメラドック３５にセットされたデジタルカメラを使用して撮影を行った場合には、アイコン１１０を選択すればよい。
【０１２３】
すると、メモリーカード差込み指示画面（挿入口指示画面）Ｇ３（図９参照）が表示部１４に表示される（挿入口指示画面を表示する表示工程）。このメモリーカード差込み指示画面Ｇ３においては、選択したメモリーカードに応じて挿入すべき挿入口が操作者に容易に分かるように表示されている。つまり、挿入すべき挿入口をイラスト又は写真画像等によって指示するようになっている。これにより、操作者は、メモリーカードをどの挿入口に挿入すればよいかを容易に判断することができる。このメモリーカード差込み指示画面Ｇ３が表示されたら、操作者は、デジタルカメラからメモリーカードを抜き取り、メモリーカードをメモリーカードドライブ２０に挿入する。その際、挿入するメモリーカードに応じた挿入口に挿入する。例えば、メモリースティックからデータを読み出す場合には、メモリースティックをデジタルカメラから抜き取り、アイコン１０４を選択し、メモリーカード差込み指示画面Ｇ３が表示されたら、その抜き取ったメモリースティックを所定の挿入口に挿入する。
【０１２４】
すると、挿入されたメモリーカードから写真画像のデータが読み出され、写真画像選択画面Ｇ４（写真画像表示・印刷指定画面）（図１０参照）が表示されて、各写真画像のデータは、写真画像選択画面Ｇ４内に表示される（第２表示工程）。なお、写真画像印刷装置Ａによって読み出される写真画像は、静止画としての写真画像である。なお、カメラドック３５にセットされたデジタルカメラを使用して撮影を行い、カメラドックを選択可能なアイコン１１０を選択した場合には、デジタルカメラから写真画像のデータが読み出されて、図１０に示すような、写真画像選択画面Ｇ４が表示される。
【０１２５】
この写真画像選択画面Ｇ４には、複数の個別写真画像領域２００が設けられ、この個別写真画像領域２００には、写真画像表示領域２０２と、枚数調整領域２０４とが設けられている。写真画像表示領域２０２には、各写真画像の画像が表示され、また、枚数調整領域２０４には、枚数増加ボタン２０５と、枚数減少ボタン２０６と、枚数表示領域２０７とが設けられていて、枚数増加ボタン２０５をクリックするごとに枚数表示領域２０７に表示される枚数が増加するようになっている。また、枚数減少ボタン２０６をクリックするごとに枚数表示領域２０７に表示される枚数が減少するようになっている。このように、各写真画像ごとに印刷する枚数を指定することができるようになっている。メモリーカードからの写真画像のデータの読出しは、ＣＰＵ２６がデータ読出しプログラム３２ｂに従いメモリーカードドライブ２０を制御することにより行われ、読み出された写真画像のデータは、各写真画像表示領域２０２に貼り付けて表示される。この場合の写真画像のデータの表示は、ＣＰＵ２６が画面表示プログラム３２ａに従い表示部１４を制御することにより行われる。なお、メモリーカードから写真画像のデータの読出しを行う場合におけるメモリーカードドライブ２０やデータ読出しプログラム３２ｂに従い動作するＣＰＵ２６は、上記読出し手段として機能する。また、写真画像選択画面Ｇ４を表示する場合における表示部１４や画面表示プログラム３２ａに従い動作するＣＰＵ２６は、上記表示手段として機能する。なお、読み出された写真画像のデータを写真画像選択画面Ｇ４に表示する際には、その写真画像のデータは一時的にデータ格納部３４に格納される。
【０１２６】
また、写真画像選択画面Ｇ４には、一括指定ボタン２１０が設けられていて、この一括指定ボタン２１０にも、枚数増加ボタン２１２と、枚数減少ボタン２１４と、枚数表示領域２１６とが設けられている。この場合も、枚数増加ボタン２１２をクリックするごとに枚数表示領域２１６に表示される枚数が増加するようになっており、また、枚数減少ボタン２１４をクリックするごとに枚数表示領域２１６に表示される枚数が減少するようになっている。そして、この枚数増加ボタン２１２と枚数減少ボタン２１４とによって枚数を指定した後に、一括指定ボタン２１０における「一括指定」の部分をクリックすることにより、各個別写真画像領域２００における枚数表示領域２０７に表示される枚数が一括指定ボタン２１０において指定した枚数となる。
【０１２７】
また、写真画像選択画面Ｇ４における決定ボタン２２０は、指定した枚数を決定するための操作ボタンであり、この決定ボタン２２０を押すことにより、指定された枚数の印刷を行う。また、元に戻すボタン２３０は、写真画像選択画面Ｇ４を初期状態、つまり、枚数を指定していない状態にするための操作ボタンである。この元に戻すボタン２３０を操作することにより、表示された写真画像選択画面Ｇ４において指定された枚数はクリアされる。
【０１２８】
なお、この写真画像選択画面Ｇ４には、合計枚数表示欄を設けて、表示されている写真画像選択画面Ｇ４において入力した枚数の合計が表示されるようにしてもよい。つまり、１つの写真画像選択画面Ｇ４において印刷する枚数を入力した場合に、その合計枚数が表示されるようにする。例えば、図１０の例で、上段左位置の写真を３枚とし、下段中央位置の写真２枚とした場合には、該合計枚数表示欄には、５枚と表示される。つまり、入力された枚数の合計を算出して、合計枚数表示欄に表示するのである。
【０１２９】
また、この写真画像選択画面Ｇ４には、他に総プリント枚数表示欄を設けて、設定用画面Ｇ１において名前設定を行った後に、印刷した写真画像の枚数をカウントして表示するようにしてもよい。つまり、直近に行った名前設定以後の印刷枚数をカウントすることにより、あるパーティにおいて最初から印刷された写真画像の枚数を知ることが可能となる。
【０１３０】
操作者は、印刷したい写真画像についての個別写真画像領域２００における枚数調整領域２０４により枚数を指定したり、一括指定ボタン２１０により印刷枚数を指定する。この場合、個別写真画像領域２００を表示する表示部１４や入力部１６が上記入力手段として機能する。そして、この写真画像選択画面Ｇ４において印刷する枚数を指定した後に決定ボタン２２０を操作すると、ＣＰＵ２６は、印刷プログラム３２ｃに従い、写真画像のデータと印刷する枚数についてのデータをプリンタ２４に送る。すると、プリンタ２４は、各写真画像について指定された枚数印刷する。印刷された写真画像は、プリンタ２４の排出口から排出され、トレーに留置される。この場合、上記プリンタ２４や該印刷プログラム３２ｃに従い動作するＣＰＵ２６は、上記印刷手段として機能する。
【０１３１】
以上のようにして、メモリーカードに記憶された写真画像のデータの印刷が行われることになる。なお、上記において各画面の表示部１４への表示は、画面表示プログラム３２ａに基づき行われることになる。
【０１３２】
以上のように、本実施例の写真画像印刷装置Ａによれば、デジタルカメラで撮影して得た写真画像をその場で所望枚数印刷することができ、被写体となった者にその場で渡すことができるので、カメラを持ち帰って写真画像をプリントした後に郵送等で送るという手間を省くことができる。また、１回の撮影で複数枚印刷することができるので、集合写真等を撮った場合でも、被写体となった各者に写真をその場で渡すことができる。
【０１３３】
なお、上記の写真画像印刷装置Ａには、カメラドック３５が設けられているので、予めデジタルカメラをこのカメラドック３５にセットしておき、該デジタルカメラで撮影した場合には、該デジタルカメラをカメラドック３５に載置するのみで写真画像のデータを読み出すことができるので、メモリーカードをいちいちデジタルカメラから取り出す必要がなく、簡単な操作で写真画像を表示したり、印刷したりすることができる。
【０１３４】
なお、プリンタ２４により印刷した写真画像には、初期設定において入力した内容が上書き表示内容として表示される。つまり、写真画像に重ねた状態で表示されている。図１１（ａ）に示す写真画像には、右下欄に「２００２．１０．１０　Ｉｃｈｉｒｏ　ａｎｄ　Ｈａｎａｋｏ」と表示されているが、これは、初期設定においてそのように入力した場合の例を示すものである。なお、この上書き表示内容は、図１１（ｂ）に示すように、表示内容を示す有色領域３００と、該有色領域３００の周囲に設けられた白色の周囲領域３１０とを有していて、表示内容を鮮明に表すとともに、表示内容に趣を出すことができるようになっている。この上書き表示内容が、上記「文字及び／又は記号からなる表示情報であって、表示情報を構成する各文字及び／又は記号における構成部分が白色以外の有色領域と該有色領域の周囲に存在する白色領域とからなる表示情報」に当たる。
【０１３５】
次に、ディスクへの書込みについて説明する。上記の写真画像選択画面Ｇ４において決定ボタン２２０を操作すると、上記のように写真画像の印刷が行われるが、同時に、印刷した写真画像のデータが記憶部３０におけるデータ格納部（記憶手段）３４に記録される。つまり、写真画像印刷装置Ａを起動してから、最初に写真画像の印刷を行った場合に、データ格納部３４内にフォルダが作成される。このフォルダは、ディスクに記録する写真画像のデータを格納しておくためのものである。このフォルダは、上記の印刷写真画像データを記憶するための記憶領域や、画像データ記憶領域に当たる。そして、以後写真画像を印刷するごとに、その印刷した写真画像のデータを該フォルダに格納していく。
【０１３６】
なお、写真画像のデータをフォルダに記録するに際しては、該フォルダに既に記録済みの写真画像については書込みを行わない。つまり、印刷を行った写真画像であっても、すでにフォルダに記録済みの写真画像については、書込みを行わない。既に記録済みの写真画像であるか否かについては、印刷した写真画像のファイル名と撮影時刻とをフォルダに記録されている各写真画像のファイル名と撮影時刻とを比較して、印刷した写真画像とファイル名及び撮影時刻が同じ写真画像がフォルダに存在する場合には、その写真画像についてはフォルダへの記録を行わない。つまり、フォルダへの記録を中止する。なお、該ファイル名と撮影時刻は、デジタルカメラの機能により撮影を行って写真画像を作成した際に自動的に各写真画像ごとに付与されるものである。ファイル名としては、例えば、連続番号が付される。なお、写真画像をフォルダに記録する際には、写真画像のデータとともに、ファイル名と撮影時刻のデータも記録することになる。このようにすることにより、同じ写真画像を複数回印刷しても、写真画像を重複してディスクに記録することがない。
【０１３７】
また、フォルダに写真画像を記録する際には、フォルダ内において、撮影時刻順になるように写真画像の記録を行っていく。これは、写真画像のデータに付与されている撮影時刻を比較しながら、撮影時刻順に記録していく。例えば、最初に撮影時刻が１４時０５分の写真画像（これを「第１写真画像」とする）のデータがフォルダに記録されていて、次に、撮影時刻が１４時１０分の写真画像（これを「第２写真画像」とする）が印刷された場合には、この第２写真画像のデータは、第１写真画像の次に記録する。さらに、撮影時刻が１４時０７分の写真画像（これを「第３写真画像」とする）が印刷された場合には、この第３写真画像のデータは、第１写真画像と第２写真画像の間の位置に記録する。このようにすることにより、フォルダ内に記録される写真画像は撮影時刻順となるので、写真画像が記録されたディスクを閲覧する際にも、撮影時刻順に閲覧することができる。上記のようなフォルダの作成及びフォルダへのデータの記録は、ＣＰＵ２６が上記ディスク書込みプログラム３２ｄに従い行う。
【０１３８】
そして、閲覧用プログラムと写真画像のデータを記録したディスクの注文があった場合には、業者が上記写真画像印刷装置Ａを回収した後に、上記設定用画面Ｇ１を表示させて、設定用画面Ｇ１における「ディスク書込み」を選択する。なお、その際には、事前にディスクドライブ２２に記録を行うためのディスク（例えば、ＣＤ−Ｒディスク）を挿入しておく。このディスクが、データ書込み用の記録媒体に当たる。すると、記憶部３０におけるデータ格納部３４に記憶されていた閲覧用プログラムとフォルダ（つまり、印刷した写真画像のデータが記録されたフォルダ）とがディスクに記録される。つまり、閲覧用プログラムのデータとともに写真画像データがディスクに書き込まれる。なお、厳密には、フォルダのデータ（つまり、写真画像データ）が該閲覧用プログラムに書き込まれた上で、該閲覧用プログラムがディスクに書き込まれる。上記のディスクへの書込みは、ＣＰＵ２６が上記ディスク書込みプログラム３２ｄに従いディスクドライブ２２を制御することにより行う。この場合、該ディスクドライブ２２やディスク書込みプログラム３２ｄに従い動作するＣＰＵ２６が上記書込み手段として機能する。このようにして記録が行われたディスクを注文者に渡す。なお、例えば、パーティにおいては、パーティ終了後に上記のようにディスクへの書込みを行い、その後、ディスクを渡す相手にディスクを手渡しすればよい。
【０１３９】
なお、本実施例の写真画像印刷装置Ａをパーティ会場等において使用する場合には、撮影者が複数存在するのが通常であり、この写真画像印刷装置Ａを用いて写真画像を印刷する者も複数存在するのが通常である。よって、その場合には、１つのディスクには、異なる撮影者により撮影された写真画像が記録されることになる。
【０１４０】
なお、上記の説明では、予めフォルダを作成しておいて、フォルダに写真画像データを記録していき、デスクに書き込む際に、フォルダのデータを書き込むとして説明したが、ディスクドライブ２２にディスクを入れておいて、写真画像のデータを印刷するごとに、写真画像データを直接ディスクに記録するようにしてもよい。
【０１４１】
記録が行われたディスクを受け取った者は、パーソナルコンピュータ等のコンピュータ（例えば、自宅のパーソナルコンピュータ）においてこの閲覧用プログラムを起動させると、まず、メニュー及び写真表示画面Ｇ１０（図１３参照）が表示される。
【０１４２】
このメニュー及び写真表示画面Ｇ１０には、図１３に示すように、メニュー表示領域５１０と、写真画像リスト表示領域５２０と、拡大写真画像表示領域５３０とが設けられている。このメニュー表示領域５１０には、各メニューが表示されていて、「スライドショー」、「写真データの複写」、「印刷モード」、「写真焼増依頼書」、「写真設定」、「ポストカード作成」、「終了」等の各メニューが設けられている。
【０１４３】
また、写真画像リスト表示領域５２０は、ディスクに閲覧用プログラムとともに記録されているフォルダに記録されている写真画像のデータを表示する領域であり、複数の写真画像のデータを一度に表示するようになっている。また、拡大写真画像表示領域５３０は、所定の写真画像のデータを拡大して表示するための領域であり、写真画像表示領域５３２と、操作ボタン５３４とが設けられている。この操作ボタン５３４は、次の写真画像に移行するための操作ボタン５３４ａと、１つ前の写真画像に戻るための操作ボタン５３４ｂとが設けられている。
【０１４４】
なお、メニュー画面を最初に表示した際には、写真画像リスト表示領域５２０には、フォルダに記録されている写真画像のうちの所定数の写真画像のデータが一覧の形で表示される。また、写真画像表示領域５３２には、フォルダに記録されている写真画像のうちの最初の順番の写真画像が表示される。
【０１４５】
また、写真画像リスト表示領域５２０に表示された写真画像のうちのいずれかの写真画像をクリックすると、その写真画像が写真画像表示領域５３２に拡大されて表示される。
【０１４６】
また、メニュー及び写真表示画面Ｇ１０において、操作者が「スライドショー」を選択すると、操作ボタン５３４を操作することにより、順次写真画像が写真画像表示領域５３２に拡大して表示されるようになる。この場合の動作が、「上記印刷写真画像データを一覧表示するとともに、一覧表示された印刷写真画像データの中から操作者により指定された写真画像のデータを拡大表示する処理」に当たる。この「スライドショー」を選択した場合の動作は、上記スライドショー用プログラムに基づき行われることになる。つまり、写真画像を順番に拡大しながら見たい場合には、この「スライドショー」を選択すればよい。
【０１４７】
また、「写真データの複写」を選択した場合には、選択した写真画像のデータを他の記録媒体に複写することが可能となる。この場合の動作は、上記写真画像データ複写プログラム４００ｇに従い行われることになる。
【０１４８】
また、「印刷モード」を選択した場合には、選択した写真画像をプリンタ等で印刷することが可能となる。
【０１４９】
また、「写真焼増依頼書」を選択した場合には、写真焼増依頼書のサンプルが表示さるので、該サンプルに所定事項を入力した後にプリントアウトして写真画像の焼き増しの依頼に使用すればよい。この場合の動作は、上記焼増依頼書作成プログラム４００ｄに従い行われる。
【０１５０】
また、写真画像表示領域５３２に表示される写真画像に額の模様を付けたい場合には、「写真設定」における「額」を「有り」とし、該模様が必要ない場合には、「無し」とする。また、写真画像の横長表示を縦長表示にしたり、その逆をする場合には、「写真設定」の「回転」により調整する。この「写真設定」に関する動作は、上記写真画像設定プログラム４００ｅに従い行われる。
【０１５１】
次に、「ポストカード作成」をクリックした場合の動作について説明する。この場合、閲覧用プログラムを起動しているコンピュータは、インターネットに接続されているものとする。また、「ポストカード作成」をクリックすると、ポストカード作成画面Ｇ１１（図１４参照）が表示される。このポストカード作成画面Ｇ１１においては、メニュー表示領域６１０と、左側表示領域６２０と、右側表示領域６３０とが設けられている。このメニュー表示領域６１０には、「フレーム選択」の操作ボタン６１０ａと、「写真画像選択」の操作ボタン６１０ｂと、「フレームと写真画像の合成」の操作ボタン６１０ｃと、「差出し人の住所、氏名」の操作ボタン６１０ｄと、「仕上がり確認」の操作ボタン６１０ｅと、「ポストカード注文」の操作ボタン６１０ｆとが設けられている。また、左側表示領域６２０には、上記フォルダに記録されている写真画像のデータが表示されるようになっていて、また、右側表示領域６３０には、選択可能な複数のフレームや、選択されたフレーム等が表示されるようになっている。
【０１５２】
まず、ポストカード作成画面Ｇ１１が表示されると、右側表示領域６３０に選択可能なフレームが複数表示される。その際、メニュー表示領域６１０では操作ボタン６１０ａが強調表示されている。操作者は、複数のフレームの中から所望のフレームを選択する。
【０１５３】
すると、メニュー表示領域６１０においては、操作ボタン６１０ｂが強調表示されるとともに、左側表示画面６２０に、選択可能な写真画像が表示される。これらの写真画像は、フォルダに記録されていた写真画像である。操作者は、表示された写真画像の中から１つの写真画像を選択する。なお、フレームによっては、複数の写真画像をはめ込むことができるものがあるので、その場合には、必要な数の写真画像を選択する。
【０１５４】
すると、メニュー表示領域６１０においては、操作ボタン６１０ｃが強調表示されるとともに、右側表示領域６３０においては、選択した写真画像がフレームに合成された状態で表示される。そのように合成した状態に問題がなければ、表示されている「決定」ボタンをクリックする。
【０１５５】
すると、メニュー表示領域６１０においては、操作ボタン６１０ｄが強調表示されるとともに、ポストカードに表示する住所や氏名等の表示内容を入力できるようになる。例えば、入力用のウインドウが表示され、そこに、挨拶文、住所、氏名等を入力して、表示されている「決定」ボタンをクリックする。
【０１５６】
すると、メニュー表示領域６１０においては、操作ボタン６１０ｅが強調表示されるとともに、入力された内容がポストカードに書き込まれた状態に表示される。表示されたポストカードの状態に問題がなければ、所定の操作、例えば、表示されている「決定」ボタンをクリックする。
【０１５７】
すると、メニュー表示領域６１０においては、操作ボタン６１０ｆが強調表示されるとともに、ポストカードを発注するためのＷｅｂサイトに接続する。そして、該Ｗｅｂサイトにおける入力画面において、所定の事項を入力するとともに所定の操作をすることにより作成したポストカードのデータが該サイトに送られる。該サイト側では、そのデータを受け取った後に、実際にポストカードを作成する。つまり、はがき等の紙に印刷を行ってポストカードを作成する。そして、注文者に郵送するのである。
【０１５８】
上記のようなポストカード作成を選択した場合の動作が、「上記印刷写真画像データにおける写真画像のデータを操作者に選択させるとともに、複数のポストカード作成用のフレームを表示して操作者に所定のフレームを選択させることによりポストカードの設計を行うとともに、所定のＷｅｂサイトにインターネットを介して接続することにより、設計したポストカードの注文を可能とする処理」に当たる。
【０１５９】
以上のように、上記閲覧用プログラムと写真画像のデータを記録したフォルダを記録したディスクによれば、上記写真画像印刷装置Ａを使用して印刷を行った写真画像を閲覧することができるので、実際の写真画像をアルバム等に保管しておかなくてもディスクによっていつでも閲覧することが可能となる。つまり、このディスクを写真のアルバムの代わりとして用いることが可能となる。また、写真画像データを複写したり、印刷したり、焼き増ししたり、さらには、ポストカード作成を行うことができるので、非常に便利である。
【０１６０】
なお、上記の説明において、写真画像選択画面Ｇ４において決定ボタン２２０を操作すると、写真画像の印刷を行なうと同時に、印刷した写真画像のデータが記憶部３０におけるデータ格納部（記憶手段）３４にフォルダを作成し、このフォルダに写真画像のデータを記憶していき、写真画像のデータをフォルダに記憶するに際しては、該フォルダに既に記憶済みの写真画像については書込みを行わず、その際写真画像のファイル名と撮影時刻とを比較し、印刷した写真画像とファイル名及び撮影時刻が同じ写真画像がフォルダに存在する場合には、その写真画像についてはフォルダへの記憶を行わないとして説明したが、フォルダに記憶済みの写真画像を記憶しない方法として以下のようにしてもよい。
【０１６１】
なお、以下に示す処理は、例えば、プログラム格納部３２に、以下の処理を行うためのプログラムであるフォルダ記憶プログラムが記憶されていて、ＣＰＵ２６が該プログラムに従い制御を行うことにより行われる。
【０１６２】
すなわち、同一の写真画像であるか否かを写真画像に付与されているファイル名と、撮影日時と、データサイズのデータによって判定し、この３つのデータが全て同じ写真画像については、フォルダへの記憶を行わない。また、フォルダに写真画像を書き込む際には、新たなファイル名を付けて記憶を行うようにする。この新たなファイル名は、該フォルダ内で順序付けられた名称とする。なお、このフォルダが、上記画像データ記憶領域に当たることになる。
【０１６３】
具体的には、図１５に示すように、以下のように処理を行う。まず、予め、データ格納部３４内に、撮影した写真画像の段階でのファイル名（これを「旧ファイル名」とする）を記憶しておく記憶領域を設定しておく（この記憶領域を「リストファイル」とする）。このリストファイルが、上記元ファイル名記憶領域に当たる。
【０１６４】
そして、デジタルカメラで撮影した写真画像には、写真画像ごとにファイル名と、撮影日時と、データサイズのデータが付与されているので、写真画像の印刷を行った場合には、その写真画像のファイル名と、撮影日時と、データサイズの各データを読み出す（Ｓ１１）。この場合、撮影日時とは、例えば、２００３年１０月１日１３時１０分１５秒というように、年月日と時刻を示すものである。なお、このステップＳ１１の処理は、写真画像の印刷を行った場合に開始される。そして、このファイル名と同じファイル名がリストファイルに存在するか否かを判定し（Ｓ１２、第１判定工程）、存在しない場合には、写真画像のデータをフォルダに記憶する（Ｓ１３）。なお、フォルダに記憶する際には、新たなファイル名に変更した上で記憶する。このファイル名は、該フォルダ内で順序付けられた名称とする。例えば、連続番号とする。なお、写真画像をフォルダに記憶する際には、当然、撮影日時やデータサイズのデータも付与された状態で記憶される。また、写真画像をフォルダに記憶する場合には、旧ファイル名をリストファイルに記憶する（Ｓ１４）。この旧ファイル名をリストファイルに記憶する際には、リストファイルに記憶した順序が分かるように記憶する。つまり、これにより、リストファイルの旧ファイル名とフォルダ内の写真画像とが関連づけられることになる。なお、上記ステップＳ１３，Ｓ１４が、上記記憶工程に当たる。
【０１６５】
一方、上記ステップＳ１２において、リストファイルに同じファイル名がある場合には、そのファイル名に対応する写真画像について、他のデータ、すなわち、撮影日時のデータと、データサイズのデータとが同じであるか否かを判定し（Ｓ１５、第２判定工程）、１つでも異なる場合には、ステップＳ１３に移行して、その写真画像をフォルダに記憶する。一方、撮影日時もデータサイズも同じである場合には、同一の写真画像であると判定して、フォルダにその写真画像を記憶することなく、処理を終了する。
【０１６６】
上記の処理の内容をより具体的に説明すると、ファイル名、撮影日時、データサイズが図１６（ａ）に示す写真画像Ａを印刷したとする。すると、フォルダやリストファイルにはまだデータは記憶されていないので、この写真画像がフォルダに記憶され、リストファイルに旧ファイル名が記憶される。つまり、フォルダに記憶する際には、新ファイル名ＥＰＳ００００１に変更した後に記憶を行い、旧ファイル名ＡＢＣ００１はリストファイルに記憶される。次に、ファイル名、撮影日時、データサイズが図１６（ｂ）に示す写真画像Ｂを印刷したとすると、この写真画像Ｂのファイル名ＸＺ００２は、リストファイルには記憶されていないので、写真画像Ｂをファイル名をＥＰＳ００００２に変更した上でフォルダに記憶し（Ｓ１３）、旧ファイル名をリストファイルに記憶する（Ｓ１４）。なお、この写真画像Ｂの変更後のファイル名はＥＰＳ００００２であり、写真画像Ａのファイル名と連続した番号となっている。また、リストファイルに記憶される旧ファイル名ＸＺ００２は、ＡＢＣ００１の次に記憶しておき、直前に記憶した旧ファイル名の次の順序であることが分かるようにしておく。
【０１６７】
そして、次に、ファイル名、撮影日時、データサイズが図１６（ｃ）に示す写真画像Ａが印刷されたとする。この写真画像Ａは、上記図１６（ａ）の写真画像と同じ写真画像であり、ファイル名、撮影日時、データサイズともにすでに記憶してある写真画像Ａと同じとなっている。すると、ファイル名ＡＢＣ００１はすでにリストファイルに記憶されているので、他のデータも同じか否かを判定する。その際には、フォルダ内の写真画像は順序付けられて記憶され、また、リストファイルの旧ファイル名も順序付けられて記憶されているので、リストファイルにおける該当するファイル名に対応する写真画像の撮影日時とデータサイズのデータを読み出す。例えば、図１６（ｃ）の場合には、同一のファイル名がリストファイルの１番目にあるので、フォルダにおける１番目の写真画像（つまり、写真画像Ａ）についての撮影日時とデータサイズを読み出して、これらのデータも同じであるか否かを判定する（Ｓ１５）。すると、図１６（ｃ）の場合には、他のデータも同じとなるので、写真画像Ａのフォルダへの記憶は行わず、リストファイルへの記憶も行わない。
【０１６８】
次に、ファイル名、撮影日時、データサイズが図１６（ｄ）に示す写真画像Ｃが印刷されたとする。この場合には、ファイル名は（ａ）で記憶された写真画像Ａと同じであるが、他のデータ（撮影日時とデータサイズ）が異なるので、写真画像Ｃをファイル名を変更した上で（この場合のファイル名は、ＥＰＳ００００３となる）記憶し、旧ファイル名はリストファイルに記憶する。
【０１６９】
以上のようにして、フォルダに記憶済みの写真画像を重複して記憶しないようにすることが可能となる。また、フォルダに記憶する写真画像のデータのファイル名を変更するので、別の写真画像であるにも拘わらずファイル名が同じになってしまうという事態を避けることができる。つまり、例えば、パーティの参加者が同じ機種のデジタルカメラを持参してきた場合に、別の写真画像であるにも拘わらず、メモリーカードから読み出した写真画像のデータのファイル名が同じである可能性があり、その場合には、ファイル名を変更しないと、フォルダに記憶させた写真画像のデータのファイル名が同じになってしまう。そこで、上記のように、ファイル名を変更することにより、そのような事態が発生するのを防止するのである。
【０１７０】
また、上記の各機能に加えて、以下に説明するようなバックアップ機能を付加するのが好ましい。
【０１７１】
すなわち、データ格納部３４に、第１フォルダ（画像データ記憶領域）と、第２フォルダ（バックアップ用データ記憶領域）とを予め設けておき、設定用画面Ｇ１（図７参照）において名前設定を行った場合に、第１フォルダに記憶されているデータをクリアするとともに、第２フォルダには、新たなフォルダ（以下「別フォルダ」（個別記憶領域）とする）を作成する。この別フォルダの名称は、例えば、設定した名前を用いたファイル名とする等して第２フォルダ内に形成される他の別フォルダとは区別できるようにしておく。
【０１７２】
そして、写真画像の印刷を行い、写真画像のデータをフォルダに記憶する場合には、つまり、例えば、図１５におけるステップＳ１３においては、その写真画像のデータを第１フォルダに記憶するのみならず、別フォルダにも記憶する。このようにして、第１フォルダと別フォルダに各写真画像のデータを記憶していく。
【０１７３】
そして、次の使用機会、つまり、次のパーティ等において設定用画面Ｇ１（図７参照）において名前設定（この操作が、上記「写真画像印刷装置の起動後において所定の操作が上記入力装置によりあった場合には、」における該所定の操作に当たる）を行った場合には、第１フォルダ内のデータは削除されて、第２フォルダには、新たなフォルダが別に作成されることになる。
【０１７４】
このようにすることにより、第２フォルダには、第１フォルダに記憶されたデータが記憶されているフォルダが次々と記憶されていき、データのバックアップが行われることになる。
【０１７５】
なお、このようにデータのバックアップを行う場合には、上記のようにディスクへの書込みを行う場合には、第２フォルダに記憶された別フォルダも選択して記憶できるようにしておくのが好ましい。
【０１７６】
なお、第１フォルダや別フォルダに写真画像のデータを記憶する際にも図１５に示すような処理は行い、記憶済みの写真画像を重複して記憶しないようにする。なお、バックアップする期間を予め定めておき、その期間を経過した別フォルダを削除するようにしてもよい。
【０１７７】
また、上記の各機能に加えて、以下に説明するような焼き増し機能を付加してもよい。
【０１７８】
すなわち、ユーザ（例えば、パーティの参加者）が所定の操作を行うことにより、上記フォルダに記憶されている写真画像のデータを表示させ、印刷できるようにする。特に、上記のように第１フォルダと第２フォルダとを用意しておく場合には、第１フォルダに記憶されている写真画像のデータを表示させて、印刷できるようにする。
【０１７９】
すなわち、カード種類選択画面Ｇ２には、図１７に示すように、さらに、焼き増し用の操作ボタンとしてのアイコン１１２を用意しておき、このアイコン１１２を押圧操作することにより、第１フォルダに記憶されている写真画像が一覧で表示されるようにする。写真画像の表示の仕方としては、例えば、図１０に示す写真画像選択画面Ｇ４のように行なう。そして、印刷したい写真について印刷を行う操作を行うことにより、所望の写真を入手することができる。
【０１８０】
この焼き増し機能によれば、ある写真画像を印刷した後に、その写真を入手したい場合には、その写真画像のデータが記憶されているメモリーカードを再度差し込むことなく容易に入手することが可能となる。
【０１８１】
なお、焼き増し機能により焼き増し印刷を行った場合には、すでにその写真画像のデータはフォルダに記憶されているので、印刷を行った場合でもフォルダに記憶しておく必要はない。つまり、焼き増し印刷を行なうための所定の操作を行って写真画像のデータを印刷した場合には、写真画像については印刷写真画像データの上記記憶装置への記憶を中止するようにする。
【０１８２】
また、図１７に示すカード種類選択画面Ｇ２において、アイコン１００〜１１０を操作した場合の動作は上記と同様であるので、詳細な説明を省略する。
【０１８３】
また、上記の説明においては、メモリーカードをメモリーカードドライブ２０に挿入してメモリーカードに記録されている写真画像を読み出して、表示部１４に表示したり、印刷するものとして説明したが、以下に示すように通信機能を設けて外部から写真画像のデータを受信できる機能をさらに付加してもよい。
【０１８４】
つまり、その場合の装置本体部１０の構成は、図１８に示すように構成され、上記で説明した構成に加えて、通信部（受信装置）３７がさらに設けられる。この通信部３７は、受信アンテナに接続されて、無線通信を行う機能を有し、写真画像のデータが添付された電子メールを受信する機能を有している。特に、通信部３７は、携帯電話の機能を有していて、携帯電話により電子メールを受信する機能を有している。
【０１８５】
また、データ格納部３４には、上記で説明した構成に加えてさらに、受信した電子メールを記憶するフォルダであるメール用フォルダ（図１９参照）が設けられている。このメール用フォルダが、上記受信データ記憶領域に当たる。
【０１８６】
さらに、プログラム格納部３２には、図６や上記で説明した各プログラムに加えて、以下に説明するような動作を行うためのプログラムが格納されている。例えば、該電子メールを受信して該メール用フォルダに格納するためのプログラムであるメール受信プログラムや、モードを切り換えるためのモード切換えプログラムや、各モードごとに動作を行うためのプログラム（例えば、表示後印刷モード動作プログラムや、即印刷モード動作プログラム）が格納されている。また、プログラム格納部３２に格納されている画面表示プログラム３２ａは、上記メール用フォルダに格納された写真画像等を表示する機能をも有することになる。また、プログラム格納部３２に格納されている印刷プログラム３２ｃは、後述するように、写真画像表示領域２０２を分割して、写真画像とテキストデータとを表示する場合には、その状態で印刷する機能をも有することになる。
【０１８７】
このように通信機能を設けた場合の写真画像印刷装置Ａの使用状態及び動作について説明する。外部から写真画像のデータを送信して写真画像印刷装置Ａにより受信し、表示、印刷等する場合の使用状態、動作以外は、上記の場合と同様であるので、外部から写真画像のデータを送信して写真画像印刷装置Ａにより受信し、表示、印刷等する場合の使用状態、動作を主として説明する。
【０１８８】
この通信機能を設けた場合のカード種類選択画面Ｇ２は、図１７に示すように構成され、受信画像を表示等するためのアイコン１１４が設けられている。このアイコン１１４には、現在モード表示用のアイコン１１４ａと、モード切換え用のアイコン１１４ｂとが設けられている。つまり、通信機能により受信した受信写真画像については、写真画像のデータを受信した場合には、即印刷するモード（「即印刷モード」とする）と、一旦表示部１４に表示した上で印刷を指示した写真画像を印刷する表示後印刷するモード（「表示後印刷モード」とする）とが設けられていて、アイコン１１４ｂは両モード間の切換えを行なうための操作ボタンとして機能する。つまり、表示後印刷モードの状態でアイコン１１４ｂを押圧操作すると、即印刷モードに切り替わり、一方、即印刷モードの状態でアイコン１１４ｂを押圧操作すると、表示後印刷モードに切り替わる。また、アイコン１１４ａは、現在のモードを表示するものであり、また、表示後印刷モードの場合には、このアイコン１１４ａを押圧操作することにより受信した写真画像が表示されるようになっている。なお、図１７に示すカード種類選択画面Ｇ２の場合には、焼き増し機能を行なうためのアイコン１１２や、受信した画像を表示するためのアイコン１１４が設けられているので、その意味では、カード種類選択画面Ｇ２は、カード種類その他の選択肢を選択するための選択画面であるといえる。この即印刷モードが、上記第１動作モードに当たり、表示後印刷モードが、上記第２動作モードに当たる。
【０１８９】
パーティ会場等で写真画像印刷装置Ａが起動されている状態で、写真画像のデータを送信しようとする者（以下「画像送信者」とする）が電子メールに写真画像のデータを添付して写真画像印刷装置Ａ宛に送信したとする。つまり、写真画像印刷装置Ａ宛に設定された電子メールアドレスに電子メールを送信する。電子メールを送信する形態としては、いわゆるパーソナルコンピュータにより送信する方法のみならず、携帯電話により送信する方法が挙げられる。
【０１９０】
画像送信者から電子メールが送信されると、写真画像印刷装置Ａにおいて、該電子メールが受信される。つまり、メール受信プログラムに基づきＣＰＵ２６により制御された通信部３７が該電子メールを受信する。すると、該電子メールのデータは、データ格納部３４における上記メール用フォルダに格納される。なお、メール用フォルダに格納される各電子メールデータには、写真画像データと、電子メールにおけるテキストデータが含まれているとともに、送信元等のその他の情報も記憶されている。なお、このテキストデータは、電子メールにおけるメッセージについてのデータである。
【０１９１】
複数の画像送信者から電子メールが送信された場合には、メール用フォルダには、複数の電子メールのデータが格納されることになる。
【０１９２】
次に、各モードにおける具体的な動作について説明する。まず、表示後印刷モードについて説明する。この表示後印刷モードにおける動作は主として上記表示後印刷モード動作プログラムに従い行われる。上記のように、パーティ会場等に写真画像印刷装置Ａが設置されていて、スタート画面が表示されている状態で、所定の領域を押圧操作することにより、カード種類選択画面Ｇ２が表示される。そして、表示後印刷モードとなっている場合には、アイコン１１４ａには、図１７に示すように、「現在モード／表示後印刷モード／（表示する場合は押す）」と表示される。そして、アイコン１１４ａを押圧操作すると、受信した電子メールに添付されている写真画像と、メッセージが表示部１４に表示される。つまり、メール用フォルダに格納された電子メールデータにおける写真画像データとテキストデータとを読み出して、メール用フォルダに格納されているデータを一覧表示する。なお、表示の仕方としては、図１０に示すように、１つの画面に複数の写真画像を表示するが、テキストデータについての表示する必要があるので、図１０における個別写真画像領域２００における写真画像表示領域２０２を２つに分割して、図２０に示すように、写真画像を表示する写真画像領域２０２ａと、テキストデータを表示するテキスト表示領域２０２ｂとを設ける。そして、写真画像領域２０２ａには、電子メールデータにおける写真画像データを表示し、テキスト表示領域２０２ｂには、電子メールデータにおけるテキストデータを表示する。図２０の例では、写真画像領域２０２ａに表示された画像が写真画像データに当たり、テキスト表示領域２０２ｂに表示された内容がテキストデータに当たる。これにより、電子メールに添付された写真画像のみならず、電子メールのメッセージについても表示することができる。このような表示は、ＣＰＵ２６が上記画面表示プログラム３２ａに従い表示部１４を制御することにより行われる。なお、写真画像表示領域２０２のスペースの都合上、写真画像が横向きの場合でも縦向きに表示するが、写真画像が横向きの場合には、写真画像表示領域２０２内に横向きに表示し、残りのスペースにテキストデータを表示するようにしてもよい。
【０１９３】
そして、写真画像選択画面Ｇ４において印刷を行う場合には、上記と同様の操作を行うことにより、所望の写真画像を印刷することができる。つまり、枚数増加ボタン２０５や、枚数減少ボタン２０６や、一括指定ボタン２１０や、決定ボタン２２０等を操作することにより、上記と同様に印刷が行われる。なお、図２０に示すように、個別写真画像表示領域２００に写真画像領域２０２ａとテキスト表示領域２０２ｂとが設けられているので、印刷する内容としても、写真画像領域２０２ａの内容とテキスト表示領域２０２ｂの内容とを１枚にして印刷する。
【０１９４】
一方、即印刷モードの場合には、写真画像印刷装置Ａにおいて、該電子メールが受信され、該電子メールのデータがデータ格納部３４における上記メール用フォルダに格納されると、メール用フォルダに格納したデータの印刷を行う。つまり、写真画像選択画面Ｇ４に写真画像やテキストデータを表示して印刷を指示しなくても、受信した写真画像のデータとテキストデータをそのまま印刷する。つまり、電子メールのデータがメール用フォルダに格納されると、印刷モード動作プログラムに従い、その格納された電子メールのデータにおける写真画像のデータとテキストデータの印刷を印刷プログラム３２ｃに指示し、すると、印刷プログラム３２ｃにより印刷が行われる。この即印刷モードの場合には、アイコン１１４ａには、「即印刷モード」と表示される。なお、この即印刷モードの場合には、電子メールのデータをメール用フォルダに格納することなく、そのまま印刷するようにしてもよい。つまり、電子メールを受信したら、印刷モード動作プログラムにより、写真画像のデータとテキストデータとを読み出し、これらを印刷プログラムに指示して印刷するのである。このように、即印刷プログラムによれば、受信した電子メールに添付された写真画像のデータと、該電子メールにおけるテキストデータとを即印刷することが可能となる。
【０１９５】
また、印刷されたデータは、上記と同様に、フォルダに記憶される。つまり、表示後印刷モードの場合も即印刷モードの場合も、印刷されたデータはフォルダに記憶される。なお、フォルダへの記憶に当たっては、写真画像のデータと、その写真画像に対応するテキストデータとを１つの画像データに加工して記憶させる。例えば、図２０に示す写真画像表示領域２０２に表示された内容を１つの画像データ（例えば、ＪＰＥＧ）に生成して、そのデータをフォルダに記憶させるのである。また、写真画像のデータとテキストデータとを格納したフォルダを記憶させることも考えられる。なお、フォルダへの記憶に際しては、上記と同様に、写真画像のファイル名と、撮影日時と、データサイズとをチェックすることにより、同じ写真画像が重複して記憶されないようにする。つまり、この場合が上記の「画像データ領域への記憶を行わない場合」に当たる。また、上記のように、バックアップ機能を持たせる場合には、上記と同様に、第１フォルダに記憶するとともに、第２フォルダ内のフォルダにも記憶を行う。また、外部から通信回線を介して受信した写真画像データ及びテキストデータについてもフォルダに記憶されるので、上記の焼き増し機能により焼き増しすることも可能となる。
【０１９６】
また、フォルダに記憶されるので、ディスクに書き込む場合にも同様にディスクへの書込み動作が行われることになる。
【０１９７】
なお、上記の説明では、１つの写真画像領域に、写真画像とテキストデータとを表示するものとして説明したが、写真画像のみを表示してもよい。つまり、この場合には、メール用フォルダに記憶されている電子メールデータにおいて、写真画像データのみを表示させるのである。この場合には、印刷に際しても、写真画像データのみを印刷することになる。また、送信されたデータがテキストデータのみの場合には、そのテキストデータを個別写真画像表示領域２００に表示させて、印刷等するようにしてもよい。
【０１９８】
以上のように写真画像印刷装置Ａに通信機能を持たせて、外部から通信回線を介して送られた写真画像を表示、印刷できるので、パーティに出席できない者からも写真画像を受信することができ、従来では祝電の方法しかなかったのであるが、写真画像を送ることができるので、よりパーティの雰囲気を盛り上げることが可能となる。また、上記の２つのモードが設けられているので、パーティ等における状況に応じてモードを使い分けることができる。つまり、スピーチの最中等のように受信した写真画像等が自動的に印刷されると不都合な状況の場合には、表示後印刷モードにしておき、歓談の場合には、即印刷モードにした方が、表示や印刷等の操作を要することなく、印刷された写真画像を取得できて便利である。なお、上記の説明では、表示後印刷モードと即印刷モードの２つのモードが設けられているとして説明したが、いずれか一方のみを設けるものとしてもよい。例えば、表示後印刷モードのみとする場合には、アイコン１１４には、アイコン１１４ａ、１１４ｂは設けられず、アイコン１１４を押すことにより、写真画像等が表示される。一方、即印刷モードのみとする場合には、電子メールを受信すると、自動的に印刷されるので、カード種類選択画面Ｇ２には、受信した写真画像用のアイコンは必要ない。
【０１９９】
なお、上記の説明では、通信部３７は、携帯電話の機能を有していて、携帯電話により電子メールを受信可能となっているとして説明したが、有線により接続するものとしてもよい。つまり、通信部３７にモデムやルータの機能を持たせて、設置会場に設けられた電話回線のジャックに接続することにより電子メールを受信可能としてもよい。また、携帯電話以外の無線通信の機能、例えば、無線ＬＡＮの機能を通信部３７に持たせて電子メールを受信できるようにしてもよい。
【０２００】
また、写真画像印刷装置Ａ、特に、通信部３７に電子メールの送信機能を持たせて、パーティに出席していない者に対して、パーティの状況を撮影した写真等を送信するようにしてもよい。この通信部３７等は、上記の「電子メールを送信する送信装置」として機能する。例えば、受信した電子メールに対する返信機能を設けておいて、返信メールを送信できるようにしておき、その返信メールに写真画像を添付して画像送信者に返信するのである。つまり、受信した電子メールの一覧が表示される一覧表示機能を設け、一覧表示された電子メールから返信を行うメールを指定して、所定の操作を行うことにより、返信メール作成画面が表示されるようにし、該返信メール作成画面において、メッセージを入力するとともに、写真画像を添付できるようにする。ここで、写真画像を添付する場合には、フォルダに記憶された写真画像を一覧表示して選択できるようにしておく。そして、写真画像を添付した状態で、電子メールを返信することにより、パーティに出席できなかった画像送信者も、パーティの雰囲気を知ることができ、擬似的にパーティに参加することが可能となる。なお、画像送信者に返信する者のみならず、電子メールの送信先が予め分かっている場合には、電子メールを送信できるようにしてもよい。
【０２０１】
また、上記の説明においては、ディスクにデータの書き込みを行なう場合に、閲覧用プログラムのデータと、フォルダのデータとをディスクに書き込むとして説明したが、予め閲覧用プログラムが書き込まれたディスクを用意しておき、そのディスクにフォルダのデータを書き込むようにしてもよい。つまり、上記のように、閲覧用プログラムのデータと、フォルダのデータとをディスクに書き込むものとすると、パーティの出席者が書き込み操作を何からの方法で知っている場合に、出席者がフォーマットされたディスクを自分で持ち込むことにより、ディスクへの書込みができてしまう。そこで、予め閲覧用プログラムが書き込まれたディスクにフォルダのデータのみを書き込むようにすることにより、そのような事態を防止することが可能となる。なお、この場合には、データ格納部３４には、閲覧用プログラムは記憶しておかずに、閲覧用プログラムが記憶されたディスクは別途作成するようにするのが好ましい。具体的な動作としては、設定用画面Ｇ１を表示させて、設定用画面Ｇ１における「ディスク書込み」を選択することにより、フォルダに記録されているデータ（特に、第１フォルダと第２フォルダとが設けられている場合には、第１フォルダに記録されているデータ）が、予め閲覧用プログラムが書き込まれたディスクに書き込まれる。その際には、フォルダに記録されているデータを撮影日時順にディスクに書き込む。つまり、フォルダに記録されている各写真画像のデータには、撮影日時のデータが付加されているので、この撮影日時のデータに基づき、その順番に従いディスクに書込みを行う。つまり、フォルダに記録された順番ではなく、撮影日時のデータに基づき書込みを行うのである。例えば、図１６（ｄ）のフォルダに示すようにデータが格納されている場合には、撮影日時の順番は、画像Ｂ→画像Ａ→画像Ｃの順番であるので、その順番でディスクに書き込む。このようにすることにより、閲覧用プログラムにより、写真画像を閲覧する場合に、撮影日時の順序で閲覧することができ、パーティの時間経過に応じた順序で閲覧を行うことが可能となる。
【０２０２】
なお、第１フォルダと第２フォルダとが設けられている場合には、第１フォルダに記録されているデータが、ディスクへ書き込まれるとしたが、バックアップ用の第２フォルダにおける別フォルダにおけるデータも書込みできるようにするのが好ましい。つまり、設定用画面Ｇ１における「ディスク書込み」を選択すると、第１フォルダと第２フォルダにおける１又は複数の別フォルダのいずれかを選択することができる選択画面を表示し、第１フォルダを選択した場合には、第１フォルダに記録されているデータをディスクに書き込み、一方、第２フォルダにおけるいずれかの別フォルダを選択した場合には、該別フォルダに記録されているデータをディスクに書き込むようにするのである。なお、上記のように、撮影日時の順番に従って、書き込みを行うようにする。
【０２０３】
また、ディスクへの書き込みに際して、写真画像のデータを格納しておくためのフォルダ（例えば、上記第１フォルダや、第２フォルダ内の別フォルダ）において、写真画像のデータとテキストデータとを格納したフォルダが格納されている場合には、該フォルダをディスクに書き込む。その際、該フォルダ内の写真画像のデータに付加されている撮影日時のデータに従い、撮影日時の順番で書き込む。例えば、図１６（ｄ）において、画像Ｂの代わりに画像Ｂとテキストデータが格納されたフォルダがフォルダ内に記録されている場合には、画像Ｂとテキストデータが格納されたフォルダをディスクに書き込む。また、図１６（ｄ）の場合に書込みの順番は、画像Ｂとテキストデータが格納されたフォルダ→画像Ａ→画像Ｃとなる。
【０２０４】
また、上記のスタート画面に、広告表示をするようにするのが好ましい。つまり、カード種類選択画面Ｇ２の前の段階の画面であるスタート画面に広告表示を行なうことにより、待受け画面として機能しているスタート画面を広告スペースとして使用することが可能となる。
【０２０５】
また、写真画像を印刷する際に、テンプレートを使用し、所定の表示が印刷された写真画像に行われるようにしてもよい。つまり、このテンプレートを広告の表示とすることにより、印刷された写真画像の一部を広告スペースとして使用することが可能となる。
【０２０６】
また、上記の写真画像印刷装置Ａを駆動させるための電源は、一般の商用電源を用いてもよいし、バッテリーを写真画像印刷装置Ａ内に設けておき、該バッテリーにより動作するようにしてもよい。このようにすることにより、商用電源のない場所、例えば、野外においても使用することが可能となる。
【０２０７】
また、上記の写真画像印刷装置Ａが駆動している際にはＢＧＭを流すようにしてもよい。また、このＢＧＭについてＯＮ・ＯＦＦ可能としてもよい。
【０２０８】
【発明の効果】
本発明に基づく請求項１及びこれに従属する請求項に記載の発明、請求項７及びにこれに従属する請求項に記載の発明及び請求項１０及びこれに従属する請求項に記載の写真画像印刷装置によれば、デジタルカメラで撮った写真画像をその場で印刷することができるので、写真画像印刷装置をパーティ会場等で使用した場合に、写真画像を被写体となった者に後で郵送等で渡す必要がなく、また、撮影して得た写真画像をその場で見ることができるので、写真画像を介してパーティの雰囲気を盛り上げることが可能となる。また、写真画像の選択に際して、印刷枚数を入力装置により指定できるようにすることにより、１回の撮影で複数枚印刷することができる。また、印刷した写真画像のデータを記録媒体に保存しておくことができるので、結婚披露宴等のパーティにおいて使用した場合に、該写真画像のデータを記録した記録媒体を記念として取っておくことができるとともに、記録媒体に記録されたデータを挨拶状等に活用することが可能となる。
【０２０９】
また、請求項１２から請求項１７までに記載の写真画像印刷装置によれば、デジタルカメラで撮った写真画像をその場で印刷することができるので、写真画像印刷装置をパーティ会場等で使用した場合に、写真画像を被写体となった者に後で郵送等で渡す必要がなく、また、撮影して得た写真画像をその場で見ることができるので、写真画像を介してパーティの雰囲気を盛り上げることが可能となる。また、写真画像の選択に際して、印刷枚数を入力装置により指定できるようにすることにより、１回の撮影で複数枚印刷することができる。また、上記移動機構部が設けられているので、パーティ会場等に搬入する際に容易に搬入を行うことができる。
【０２１０】
また、請求項１８及びこれに従属する請求項に記載の写真画像印刷装置によれば、デジタルカメラで撮った写真画像をその場で印刷することができるので、写真画像印刷装置をパーティ会場等で使用した場合に、写真画像を被写体となった者に別途郵送等で渡す必要がない。また、表示装置が液晶ディスプレイであり、上記入力装置が該表示装置の表示面に設けられたデジタイザであるので、入力装置と表示装置のスペースを小さくでき、また、上記印刷装置が、該表示装置の背面側に設けられていて、さらに、該印刷装置における印刷用紙の搬送方向は、該表示装置の表示面の向きを正面とした場合に左右方向であり、印刷した写真画像の排出口は印刷装置の側方にあるので、表示装置の背面のスペースを有効に活用することができる。つまり、表示装置の背面に設けられる横長のスペースを有効に活用することができる。よって、装置全体を小型化することが可能となる。
【０２１１】
また、請求項２３、２６、３７及びこれらに従属する請求項に記載の写真画像印刷装置によれば、すでに画像データ記憶領域に記憶されている写真画像のデータと、ファイル名と撮影日時とデータサイズの全てが同一の写真画像を画像データ記憶領域に記憶しないので、同一の写真画像を重複して記憶するおそれがない。また、ファイル名を変更するので、画像データ記憶領域に記憶された写真画像データのファイル名が同一のファイル名とならないようにすることができる。
【０２１２】
また、請求項２１、３８及びこれらに従属する請求項に記載の写真画像印刷装置によれば、焼き増し機能により、ある写真画像を印刷した後に、その写真を入手したい場合には、その写真画像のデータが記録されている記録媒体を読出し装置により読み出すことなく容易に入手することが可能となる。
【０２１３】
また、請求項２２、３９及びこれらに従属する請求項に記載の写真画像印刷装置によれば、写真画像データのバックアップを行うことができる。
【０２１４】
また、請求項２７〜３０及びこれらに従属する請求項に記載の写真画像印刷装置によれば、デジタルカメラで撮った写真画像をその場で印刷することができるので、写真画像印刷装置をパーティ会場等で使用した場合に、写真画像を被写体となった者に後で郵送等で渡す必要がなく、また、撮影して得た写真画像をその場で見ることができるので、写真画像を介してパーティの雰囲気を盛り上げることが可能となる。また、写真画像の選択に際して、印刷枚数を入力装置により指定できるようにすることにより、１回の撮影で複数枚印刷することができる。また、外部から通信回線を介して送られた写真画像を表示、印刷できるので、パーティに出席できない者からも写真画像を受信することができ、よりパーティの雰囲気を盛り上げることが可能となる。特に、請求項３０に記載の構成によれば上記の２つのモードが設けられているので、パーティ等における状況に応じてモードを使い分けることができる。
【０２１５】
また、請求項４５に記載の写真画像印刷装置による写真画像の提供方法によれば、操作者にとって使い勝手をよくすることができる。特に、上記第１表示工程が設けられていて、メモリカードの種類をメモリーカードの外観を示す表示部によりそれぞれ表示しているので、読込みを行うメモリーカードの種類を容易に特定することができる。
【０２１６】
また、請求項４７から請求項５１までに記載のパーティにおけるサービスの提供方法によれば、デジタルカメラで撮った写真画像をその場で印刷することができるので、写真画像を被写体となった者に後で郵送等で渡す必要がなく、また、撮影して得た写真画像をその場で見ることができるので、写真画像を介してパーティの雰囲気を盛り上げることが可能となる。特に、請求項５０、５１に記載のサービスの提供方法によれば、印刷した写真画像のデータを記録媒体に保存しておくことができるので、結婚披露宴等のパーティにおいて使用した場合に、該写真画像のデータを記録した記録媒体を記念として取っておくことができるとともに、記録媒体に記録されたデータを挨拶状等に活用することが可能となる。
【図面の簡単な説明】
【図１】本発明の実施例に基づく写真画像印刷装置を示す斜視図である。
【図２】本発明の実施例に基づく写真画像印刷装置を示す分解斜視図である。
【図３】本発明の実施例に基づく写真画像印刷装置を示す分解斜視図である。
【図４】装置本体部における内部構造の概略を示す斜視図である。
【図５】装置本体部の構成を示すブロック図である。
【図６】（ａ）は記憶部の構成を示す説明図であり、（ｂ）はプログラム格納部の構成を示す説明図である。
【図７】設定用画面を示す説明図である。
【図８】カード種類選択画面を示す説明図である。
【図９】メモリーカード差込み指示画面を示す説明図である。
【図１０】写真画像選択画面を示す説明図である。
【図１１】印刷された写真の例を示す図であり、（ａ）はその外観を示す平面図であり、（ｂ）は（ａ）における部分拡大図である。
【図１２】閲覧用プログラムの構成を示す説明図である。
【図１３】メニュー及び写真表示画面を示す説明図である。
【図１４】ポストカード作成画面を示す説明図である。
【図１５】フォルダに記憶済みの写真画像を重複して記憶しない方法の例を示すフローチャートである。
【図１６】フォルダに記憶済みの写真画像を重複して記憶しない方法を具体的に説明するための説明図である。
【図１７】カード種類選択画面の他の例を示す説明図である。
【図１８】通信機能を設けた場合の装置本体部の構成を示すブロック図である。
【図１９】メール用フォルダの構成を示す説明図である。
【図２０】個別写真画像領域２００において、写真画像とメッセージとを表示する場合の例を示す説明図である。
【符号の説明】
Ａ　写真画像印刷装置
１０　装置本体部
１１　本体ケース部
１２　入力機能付き表示部
１４　表示部
１６　入力部
２０　メモリーカードドライブ
２２　ディスクドライブ
２４　プリンタ
２６　ＣＰＵ
３０　記憶部
３２　プログラム格納部
３２ａ　画面表示プログラム
３２ｂ　データ読出しプログラム
３２ｃ　印刷プログラム
３２ｄ　ディスク書込みプログラム
３４　データ格納部
３５　カメラドック
３７　通信部
４０　収納部
４２　台座部
４４　カバー部
５０　移動機構部
５２　車輪
５４　支持部
５６　把手部
４００　閲覧用プログラム
【図１】
2004130771.tif 000003
【図２】
2004130771.tif 000004
【図３】
2004130771.tif 000005
【図４】
2004130771.tif 000006
【図５】
2004130771.tif 000007
【図６】
2004130771.tif 000008
【図７】
2004130771.tif 000009
【図８】
2004130771.tif 000010
【図９】
2004130771.tif 000011
【図１０】
2004130771.tif 000012
【図１１】
2004130771.tif 000013
【図１２】
2004130771.tif 000014
【図１３】
2004130771.tif 000015
【図１４】
2004130771.tif 000016
【図１５】
2004130771.tif 000017
【図１６】
2004130771.tif 000018
【図１７】
2004130771.tif 000019
【図１８】
2004130771.tif 000020
【図１９】
2004130771.tif 000021
【図２０】
2004130771.tif 000022